(57)【要約】  システムおよび方法は、ワイヤレスネットワーク上で通信を確立することに関連付けられた遅延を低減する。一態様では、アクセスポイントは、関連する局のインターフェース識別子を決定する。アクセスポイントは、インターフェース識別子が関連する局にわたって重複しないことを保証することができるので、局による重複アドレス検出の必要性が低減される。別の態様では、アクセスポイントは、ドメイン名システムサーバネットワークアドレス情報を局に提供する。ＤＮＳサーバのネットワークアドレス情報を提供することによって、局に対し情報を取得するための分離するシグナリングを実行する必要性が低減される。別の態様では、アクセスポイントは、第１の局の媒体アクセス制御アドレスへの第１の局のネットワークアドレスのマッピングを１つまたは複数の関連する局に送信する。これは、第１の局と通信することを試みるときに、関連する局に対しアドレス解決シグナリングを実行する必要性を低減し得る。
2016511596.tif 000002
【特許請求の範囲】
【請求項１】
ワイヤレス通信における遅延を低減する方法であって、
第１の局によって、関連付け要求をアクセスポイントに送信することと、
前記第１の局によって、前記アクセスポイントから関連付け応答を受信することと、前記関連付け応答は、前記アクセスポイントによって割り当てられた、割り当てられたネットワークアドレスの少なくとも一部分、または少なくとも１つのドメイン名システムサーバの少なくとも１つのネットワークアドレスを示す、
を備える方法。
【請求項２】
前記関連付け要求は、前記第１の局によって要求された、要求されたネットワークアドレスをさらに備え、ここにおいて、前記割り当てられたネットワークアドレスが、前記要求されたネットワークアドレスと同じである、請求項１に記載の方法。
【請求項３】
割り当てられたネットワークアドレスの前記少なくとも一部分は、インターフェース識別子を備える、請求項１に記載の方法。
【請求項４】
前記インターフェース識別子に基づいて、前記第１の局のインターネットプロトコルバージョン６ネットワークアドレスを決定することをさらに備える、請求項３に記載の方法。
【請求項５】
前記第１の局によって、第２の局の対応する媒体アクセス制御アドレスへの前記第２の局のインターネットプロトコルアドレスのマッピングを受信することをさらに備える、請求項１に記載の方法。
【請求項６】
割り当てられたネットワークアドレスの前記少なくとも一部分は、インターネットプロトコルバージョン４アドレスを備える、請求項１に記載の方法。
【請求項７】
前記関連付け応答は、前記少なくとも１つのドメイン名システムサーバのインターネットプロトコルアドレスをさらに備える、請求項１に記載の方法。
【請求項８】
前記関連付け応答は、前記局が前記ドメイン名システムサーバと通信するために使用することができる少なくとも１つのゲートウェイの少なくとも１つの媒体アクセス制御アドレスをさらに備える、請求項１に記載の方法。
【請求項９】
ワイヤレス通信における遅延を低減する方法であって、
アクセスポイントにおいて、第１の局から認証要求フレームを受信することと、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信することと、
割り当てられたネットワークアドレスの少なくとも一部分または前記ドメイン名システムサーバの前記ネットワークアドレスを受信することと、
ネットワークアドレス割当てについての前記要求を送信した後、前記第１の局から関連付け要求を受信することと、
関連付け応答を前記第１の局に送信することと、前記関連付け応答は、割り当てられたネットワークアドレスの前記少なくとも一部分、または前記ドメイン名システムサーバの前記ネットワークアドレスを備える、
を備える方法。
【請求項１０】
前記関連付け要求に応答して、前記ネットワークアドレスの少なくとも一部分を前記第１の局に割り当てることをさらに備える、請求項９に記載の方法。
【請求項１１】
前記関連付け要求は、前記第１の局によって要求されたネットワークアドレスをさらに備える、請求項９に記載の方法。
【請求項１２】
割り当てられたネットワークアドレスの前記少なくとも一部分は、インターネットプロトコルバージョン６インターフェース識別子を備える、請求項９に記載の方法。
【請求項１３】
前記関連付け応答は、第２の局に割り当てられた対応するネットワークアドレスへの前記第２の局のネットワークアクセス識別子のマッピングをさらに備える、ここにおいて、前記ネットワークアクセス識別子は、前記第２の局を前記ワイヤレス通信ネットワークにアクセスできるものとして識別する、請求項９に記載の方法。
【請求項１４】
割り当てられたネットワークアドレスの前記少なくとも一部分は、インターネットプロトコルバージョン４アドレスを備える、請求項９に記載の方法。
【請求項１５】
前記関連付け応答は、前記第１の局が前記ドメイン名システムサーバと通信するために使用することができるゲートウェイの少なくとも１つの媒体アクセス制御アドレスをさらに備える、請求項９に記載の方法。
【請求項１６】
ワイヤレス通信における遅延を低減するための装置であって、
第１の局によって、関連付け要求をアクセスポイントに送信するように構成された送信機と、
前記第１の局によって、前記アクセスポイントから関連付け応答を受信するように構成された受信機と、前記関連付け応答は、前記第１の局に割り当てられたネットワークアドレスの少なくとも一部分またはドメイン名システムサーバのネットワークアドレスを示す、
を備える装置。
【請求項１７】
前記関連付け要求は、前記第１の局によって要求されたネットワークアドレスをさらに備える、請求項１６に記載の装置。
【請求項１８】
前記第１の局に割り当てられたネットワークアドレスの前記少なくとも一部分は、インターネットプロトコルバージョン６インターフェース識別子を備える、請求項１６に記載の装置。
【請求項１９】
前記インターフェース識別子に基づいて、前記ネットワークアドレスを決定することをさらに備える、請求項１８に記載の装置。
【請求項２０】
第２の局の対応する媒体アクセス制御アドレスへの前記第２の局のインターネットプロトコルアドレスのマッピングを受信することをさらに備える、請求項１６に記載の装置。
【請求項２１】
前記第１の局に割り当てられたネットワークアドレスの前記少なくとも一部分は、インターネットプロトコルバージョン４アドレスを備える、請求項１６に記載の装置。
【請求項２２】
前記関連付け応答は、前記ドメイン名システムサーバのネットワークアドレスをさらに備える、請求項１６に記載の装置。
【請求項２３】
前記関連付け応答は、前記第１の局が前記ドメイン名システムサーバと通信するために使用することができるゲートウェイの媒体アクセス制御アドレスをさらに備える、請求項１６に記載の装置。
【請求項２４】
ワイヤレス通信における遅延を低減するための装置であって、
アクセスポイントにおいて、第１の局から認証要求フレームを受信するように構成された受信機と、
前記認証要求フレームに応答して、少なくとも前記第１の局についてのネットワークアクセス割当てサーバへのネットワークアドレス割当てについての要求、またはドメイン名システムサーバのネットワークアドレスについての要求を送信するように構成された送信機とを備え、
前記受信機は、前記ネットワークアクセス割当てサーバからのネットワークアドレスの少なくとも一部分、または前記ドメイン名システムサーバの前記ネットワークアドレスを受信するようにさらに構成され、
前記受信機は、ネットワークアドレス割当てについての前記要求を送信した後、前記第１の局から関連付け要求を受信するようにさらに構成され、
前記送信機は、関連付け応答を前記第１の局に送信するようにさらに構成され、前記関連付け応答は、割り当てられたネットワークアドレスの前記少なくとも一部分、または前記ドメイン名システムサーバの前記ネットワークアドレスを備える、
装置。
【請求項２５】
前記関連付け要求に応答して、前記ネットワークアドレスの少なくとも一部分を前記第１の局に割り当てることをさらに備える、請求項２４に記載の装置。
【請求項２６】
要求されたネットワークアドレスをさらに備える前記関連付け要求、請求項２４に記載の装置。
【請求項２７】
割り当てられたネットワークアドレスの前記少なくとも一部分は、インターネットプロトコルバージョン６インターフェース識別子を備える、請求項２４に記載の装置。
【請求項２８】
前記関連付け応答は、第２の局について対応するネットワークアクセス識別子への前記第２の局のネットワークアドレスのマッピングをさらに備える、ここにおいて、前記ネットワークアクセス識別子は、前記第２の局を前記ワイヤレス通信ネットワークへのアクセスを有するものとして識別する、請求項２４に記載の装置。
【請求項２９】
割り当てられたネットワークアドレスの前記少なくとも一部分は、インターネットプロトコルバージョン４アドレスを備える、請求項２４に記載の装置。
【請求項３０】
前記関連付け応答は、前記ドメイン名システムサーバのネットワークアドレスをさらに備える、請求項２４に記載の装置。
【請求項３１】
前記関連付け応答は、前記第１の局が前記ドメイン名システムサーバと通信するために使用することができるゲートウェイの媒体アクセス制御アドレスをさらに備える、請求項２４に記載の装置。
【請求項３２】
ワイヤレス通信における遅延を低減するための装置であって、
関連付け要求をアクセスポイントに送信するための手段と、
前記アクセスポイントから関連付け応答を受信するための手段と、前記関連付け応答は、前記アクセスポイントによって割り当てられたネットワークアドレスの少なくとも一部分、またはドメイン名システムサーバのネットワークアドレスを示す、
を備える装置。
【請求項３３】
ワイヤレス通信における遅延を低減する方法であって、
第１の局から認証要求フレームを受信するための手段と、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信するための手段と、
前記ネットワークアドレス割当てサーバからの前記ネットワークアドレスの少なくとも一部分または前記ドメイン名システムサーバの前記ネットワークアドレスを受信するための手段と、
ネットワークアドレス割当てについての前記要求を送信した後、前記第１の局から関連付け要求を受信するための手段と、
関連付け応答を前記第１の局に送信するための手段と、前記関連付け応答は、アクセスポイントによって割り当てられたネットワークアドレスの前記少なくとも一部分、または前記ドメイン名システムサーバの前記ネットワークアドレスを備える、
を備える方法。
【請求項３４】
実行されると、プロセッサに、
局によって、関連付け要求をアクセスポイントに送信することと、
前記局によって、前記アクセスポイントから関連付け応答を受信することと、前記関連付け応答は、割り当てられたネットワークアドレスの少なくとも一部分またはドメイン名システムサーバのネットワークアドレスを示す、
を備える方法を実行させる命令を記憶する非一時的コンピュータ可読媒体。
【請求項３５】
実行されると、プロセッサに、
アクセスポイントにおいて、第１の局から認証要求フレームを受信することと、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信することと、
前記ネットワークアドレス割当てサーバからの前記ネットワークアドレスの少なくとも一部分または前記ドメイン名システムサーバの前記ネットワークアドレスを受信することと、
ネットワークアドレス割当てについての前記要求を送信した後、前記第１の局から関連付け要求を受信することと、
関連付け応答を前記第１の局に送信することと、前記関連付け応答は、前記ネットワークアドレスの前記少なくとも一部分、または前記ドメイン名システムサーバの前記ネットワークアドレスを備える、
を備える方法を実行させる命令を記憶する非一時的コンピュータ可読媒体。
【発明の詳細な説明】
【技術分野】
【０００１】
[0001]  本出願は一般にワイヤレス通信システムに関し、より詳細には、ワイヤレス通信システムとの低減された接続遅延のためのシステム、方法、およびデバイスに関する。
【背景技術】
【０００２】
[0002]  多くの電気通信システムでは、通信ネットワークは、空間的に分離されたいくつかの対話しているデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定される。ネットワークはまた、様々なネットワークノードとデバイスとを相互接続するために使用されるスイッチング／ルーティング技法（たとえば、回線交換対パケット交換）、送信のために利用される物理媒体のタイプ（たとえば、有線対ワイヤレス）、および使用される通信プロトコルのセット（たとえば、インターネットプロトコル（ＩＰ）スイート、ＳＯＮＥＴ（同期光ネットワーキング：Synchronous Optical Networking）、イーサネット（登録商標）など）によって異なる。
【０００３】
[0003]  ワイヤレスネットワークは、ネットワーク要素がモバイルであり、したがって動的接続性の必要を有するときに、またはネットワークアーキテクチャが固定ではなくアドホックなトポロジーで形成される場合に、しばしば好適である。ワイヤレスネットワークは、無線、マイクロ波、赤外線、光などの周波数帯域中の電磁波を使用する非誘導伝搬モードでは、無形物理媒体を利用する。ワイヤレスネットワークは、有利には、固定有線ネットワークと比較すると、ユーザモビリティと迅速なフィールド展開とを容易にする。
【０００４】
[0004]  デバイスが所与のネットワークを介して通信することができる前に、デバイスは、ネットワークにアクセスできるようになるために、アクセスポイントを識別し、アクセスポイントと接続することを必要とする場合がある。デバイスは、ワイヤレス信号、たとえば、サービスの存在と利用可能性とを示す、アクセスポイントからのビーコン信号の様々な送信を介してアクセスポイントを発見し得る。デバイスは、サービスを要求するブロードキャストメッセージの受信に続いて、サービスをさらに探索し得る。ビーコンに続いてブロードキャストメッセージまたは関連付け要求を受信したアクセスポイントは次いで、デバイスに応答し、場合によっては、要求されたネットワークアドレスまたはデバイスによって要求された他の情報を提供し得る。デバイスは、ネットワークアドレス（たとえば、ＩＰアドレスまたは媒体アクセス制御（ＭＡＣ）アドレス）などの、ネットワーク中の他のデバイスまたはアクセスポイントに関する情報を要求し得る。複数のデバイスがアクセスポイントに関連付けられた所与のサービスエリアを出入りすると、通信トラフィックが増加し、データ衝突、オーバーヘッド、および遅延の割合を増加させる一方で、全体的な効率を低下させる。
【０００５】
[0005]  現行の実装形態では、多くのワイヤレス通信システムはシリアル通信方式を利用し、この方式では、たとえば、アクセスポイントとの関連付けを要求するデバイスは、最初に関連付けを要求し、後にさらなる情報を要求する一連の通信をアクセスポイントに連続的に送信することができ、その時点で、アクセスポイントは、そのような通信に連続的に応答することができる。応答して関連付け応答をデバイスに送信した後、アクセスポイントは次いで、たとえば、デバイスに与えるためのネットワークからの追加の情報を要求することができるが、アクセスポイントは、そのような要求がデバイスによって行われるまで、ネットワークからのそのような情報（たとえば、他のデバイスまたはＤＨＣＰサーバのネットワークアドレスおよびＭＡＣアドレス）を要求しない。そのような順次またはシリアル通信方式は、デバイスとアクセスポイントとの間の通信の遅延に追加し得る。
【０００６】
[0006]  したがって、いくつかのプロセスを並行して実行することによって、効率を高め、ワイヤレス通信における遅延を低減するシステムおよび方法を提供することが有利である。
【発明の概要】
【０００７】
[0007]  本発明のシステム、方法、およびデバイスは各々、いくつかの態様を有し、それらのうちのいずれの単一の態様も単独では本発明の望ましい属性を担わない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、アクセスポイントおよびデバイスのための高速な初期ネットワークリンクセットアップワイヤレス通信システムを含む利点をどのように提供するかが理解されよう。
【０００８】
[0008]  本開示の１つの革新的な態様では、ワイヤレス通信における遅延を低減するためのシステム、方法、および装置が開示される。本方法は、第１の局によって、関連付け要求をアクセスポイントに送信することを備える。本方法は、第１の局によって、アクセスポイントから関連付け応答を受信すること、関連付け応答は、アクセスポイントによって割り当てられた、割り当てられたネットワークアドレスの少なくとも一部分、または少なくとも１つのドメイン名システムサーバの少なくとも１つのネットワークアドレスを示す、をさらに備える。実行されると、開示される方法のステップを完了するコードを記憶するように構成されたコンピュータ可読記憶媒体に加えて、本方法を実装するためのシステムおよび装置が開示される。
【０００９】
[0009]  別の態様では、ワイヤレス通信における遅延を低減するためのシステム、方法、および装置が開示される。本方法は、アクセスポイントにおいて、第１の局から認証要求フレームを受信することを備える。本方法は、認証要求フレームに応答して、少なくとも第１の局についてのネットワークアドレス割当てサーバへのネットワークアドレス割当てについての要求、またはドメイン名システムサーバのネットワークアドレスについての要求を送信することをさらに備える。本方法は、割り当てられたネットワークアドレスの少なくとも一部分またはネットワークアドレス１つのドメイン名システムサーバを受信することをさらに備える。本方法は、ネットワークアドレス割当てについての要求を送信した後、第１の局から関連付け要求を受信することと、関連付け応答を第１の局に送信することと、関連付け応答は、割り当てられたネットワークアドレスの少なくとも一部分、またはドメイン名システムサーバのネットワークアドレスを備える、をさらに備える。
【図面の簡単な説明】
【００１０】
【図１】[0010]  本開示の態様が利用され得る例示的なワイヤレス通信システムを示す図。
【図２】[0011]  図１のワイヤレス通信システム内で利用され得る例示的なワイヤレスデバイスの機能ブロック図。
【図３】[0012]  ワイヤレス通信システムの例示的な実装形態を示す図。
【図４Ａ】[0013]  ワイヤレス通信システムにおいて通信を確立するときに遅延を低減する一例のコールフロー図。
【図４Ｂ】[0014]  ワイヤレス通信システムにおいて通信を確立するときに遅延を低減する一例のコールフロー図。
【図５Ａ】[0015]  ワイヤレス通信システムにおいて通信を確立するときに遅延を低減する一例のコールフロー図。
【図５Ｂ】[0016]  ワイヤレス通信システムにおいて通信を確立するときに遅延を低減する一例のコールフロー図。
【図６】[0017]  ワイヤレス通信システムにおいて通信を確立するときに遅延を低減する別の例のコールフロー図。
【図７】[0018]  ワイヤレス通信システムにおいて通信を確立する際の遅延を低減する方法のプロセスフロー図。
【図８】[0019]  ワイヤレス通信システムにおいて通信を確立する際の遅延を低減する方法のプロセスフロー図。
【図９】[0020]  ワイヤレス通信システムにおいて通信を確立する際の遅延を低減する方法のプロセスフロー図。
【図１０】[0021]  ワイヤレス通信システムにおいて通信を確立する際の遅延を低減する方法のプロセスフロー図。
【図１１】[0022]  ワイヤレス通信システムにおいて通信を確立する際の遅延を低減する方法のプロセスフロー図。
【図１２】[0023]  ワイヤレス通信システムにおいて通信を確立する際の遅延を低減する方法のプロセスフロー図。
【図１３】[0024]  ワイヤレス通信システムにおいて通信を確立する際の遅延を低減する方法のプロセスフロー図。
【図１４】[0025]  ワイヤレス通信システムにおいて通信を確立する際の遅延を低減する方法のプロセスフロー図。
【図１５】[0026]  ワイヤレス通信システムにおいて通信を確立する際の遅延を低減する方法のプロセスフロー図。
【図１６】[0027]  ワイヤレス通信システムにおいて通信を確立する際の遅延を低減する方法のプロセスフロー図。
【図１７】[0028]  本開示のワイヤレス通信装置の機能ブロック図。
【発明を実施するための形態】
【００１１】
[0029]  添付の図面を参照しながら、新規のシステム、装置、および方法の様々な態様について以下でより十分に説明する。ただし、本教示開示は、多くの異なる形態で具現化され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本発明の任意の他の態様とは無関係に実装されるか、本発明の任意の他の態様と組み合わされるかにかかわらず、本明細書で開示する新規のシステム、装置、および方法の任意の態様を包含するものであることを、当業者は諒解されたい。たとえば、本明細書に記載される態様をいくつ使用しても、装置は実装され得、または方法は実施され得る。加えて、本発明の範囲は、本明細書に記載される本発明の様々な態様に加えて、またはそれらの態様以外に、他の構造、機能、または構造および機能を使用して実践される、そのような装置または方法を包含するものである。本明細書で開示する任意の態様が、請求項の１つまたは複数の要素によって具現化され得ることを理解されたい。
【００１２】
[0030]  特定の態様について本明細書で説明するが、これらの態様の多くの変形形態および置換は本開示の範囲内に入る。好ましい態様のいくつかの利益および利点について言及されるが、本開示の範囲は特定の利益、使用法、または目的に限定されるものではない。むしろ、本開示の態様は、異なるワイヤレス技術、システム構成、ネットワーク、および送信プロトコルに広く適用可能なものであり、そのうちのいくつかが図面および好ましい態様の以下の説明において例として示される。発明を実施するための形態および図面は、限定的なものではなく本開示を説明するものにすぎず、本開示の範囲は添付の特許請求の範囲およびその等価物によって定義される。
【００１３】
[0031]  普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを利用して、近くのデバイスを一緒に相互接続するために使用され得る。本明細書で説明する様々な態様は、ワイヤレスプロトコルなどの、任意の通信規格に適用され得る。たとえば、本明細書で説明する様々な態様は、サブ１ＧＨｚ帯域を使用するＩＥＥＥ８０２．１１ａｈプロトコルの一部として使用され得る。８０２．１１システムについて説明する際に用語が使用され得るが、本開示は８０２．１１ワイヤレス技術に限定されない。本明細書で説明するシステムおよび方法は、ＬＴＥ（ロングタームエボリューション）、ＵＭＴＳ（ユニバーサルモバイル通信システム）、ＨＲＰＤ（高速パケットデータ）、またはＣＤＭＡ（符号分割多元接続）（たとえば、ＣＤＭＡ  １ｘ）ベースのネットワークにおけるＤＮＳ（ドメイン名システム）クエリに適用され得る。
【００１４】
[0032]  いくつかの態様では、サブギガヘルツ帯域中のワイヤレス信号は、たとえば、８０２．１１ａｈプロトコルに従って送信され得る。送信は、直交周波数分割多重（ＯＦＤＭ）、直接シーケンス拡散スペクトラム（ＤＳＳＳ）通信、ＯＦＤＭとＤＳＳＳ通信の組合せ、または他の方式を使用することができる。８０２．１１ａｈプロトコルまたは他のサブギガヘルツプロトコルの実装は、センサー、計測、およびスマートグリッドネットワークに使用され得る。そのようなプロトコルを実装するいくつかのデバイスの態様は、他のワイヤレスプロトコルを実装するデバイスよりも少量の電力を消費し得る。これらのデバイスは、比較的長距離、たとえば約１キロメートルまたはそれよりも長い距離にわたり、ワイヤレス信号を送信するために使用され得る。
【００１５】
[0033]  いくつかの実装形態では、ＷＬＡＮは、ワイヤレスネットワークにアクセスする構成要素である様々なデバイスを含む。たとえば、２つのタイプのデバイス、すなわち、アクセスポイント（「ＡＰ」）およびクライアント（局または「ＳＴＡ」とも呼ばれる）が存在し得る。一般に、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷｉＦｉ（登録商標）（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００１６】
[0034]  アクセスポイント（ＡＰ）はまた、ノードＢ、無線ネットワークコントローラ（ＲＮＣ）、ｅノードＢ、基地局コントローラ（ＢＳＣ）、トランシーバ基地局（ＢＴＳ）、基地局（ＢＳ）、トランシーバ機能（ＴＦ）、無線ルータ、無線トランシーバ、または何らかの他の用語を備えるか、それらのいずれかとして実装されるか、あるいはそれらのいずれかとして知られていることがある。
【００１７】
[0035]  局「ＳＴＡ」はまた、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示する１つまたは複数の態様は、電話（たとえば、セルラーフォンもしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれる場合がある。
【００１８】
[0036]  上記で説明したように、本明細書で説明するデバイスのいくつかは、たとえば、８０２．１１ａｈ規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサーアプリケーションを与えるか、またはホームオートメーションにおいて使用され得る。デバイスは、代わりにまたは加えて、たとえばパーソナルヘルスケアのためにヘルスケアコンテキストにおいて使用され得る。それらはまた、（たとえばホットスポットとともに使用するための）広範囲のインターネット接続を可能にするために、または機械間通信を実装するために、監視に使用され得る。
【００１９】
[0037]  デバイスがネットワークの使用を開始することができる前に、デバイスはそのネットワークのＡＰを識別することを必要とし得る。デバイスは、信号を送信または受信することによって、ＡＰを発見することができる。たとえば、デバイスは、ＡＰからビーコン信号を受信することによって、ＡＰを発見することができる。代替的に、デバイスは、サービスについての要求をブロードキャストすることによって、ＡＰを発見することができる。次いで、ＡＰはブロードキャスト要求に応答することができる。いくつかの実装形態では、多くのデバイスがネットワークのＡＰを識別しようとしている場合がある。各ＡＰは、信号をデバイスに送信するか、または多くのデバイスから信号を受信することによって、これらのデバイスにサービスすることを必要とし得る。たとえば、いくつかのデバイスが新しいネットワークの近傍に移動し、リンクセットアップのためのメッセージを送信するとき、結果として生じる衝突の割合は、リンクセットアップ中の遅延を導入し得る。
【００２０】
[0038]  様々な技法は、リンクセットアップ時間を低減して、デバイスがネットワークにアクセスするのを可能にするために利用され得る。しかしながら、デバイスがネットワーク上でアクションを実行するために、追加のシグナリングが必要とされ得る。たとえば、デバイスがネットワークを介してノードまたはサーバと通信することができる前に、デバイスはそのノードまたはサーバのネットワークアドレスを取得する必要があり得る。ネットワークアドレスを取得するために使用されるシグナリングの１つのタイプは、ＤＮＳクエリを含む。ドメイン名解決についての要求は、ネットワーク上で動作するノードまたはサーバのホスト名またはドメイン名を含み得る。ドメイン名解決についての要求への応答は、要求側ノードがそのノードまたはサーバと通信するために使用し得るネットワークアドレスを含み得る。
【００２１】
[0039]  ドメイン名解決についての要求は、デバイスまたはデバイスに関連付けられたアプリケーションによって送信され得る。一実施形態では、クエリは、対象とするネットワークロケーションの名前を提供する。それに応答して、ＩＰアドレスなどのアドレスが提供され得、ネットワーク上のロケーションを識別する。デバイスは、このクエリを完了するために必要とされる時間を最小限に抑えることによって、リンクセットアップ時間を低減し得る。たとえば、ＤＮＳシステムクエリを実行することに関連付けられた遅延が存在し得る。最初に、ＤＮＳクエリが生成され、ＤＮＳサーバに送信されなければならない。ＤＮＳサーバがＤＮＳクエリを受信すると、どのようにクエリに応答するかを決定するためにＤＮＳサーバが１つまたは複数のデータベースまたは他のデータ構造を検索するので、追加の遅延が導入され得る。ＤＮＳサーバが応答を生成し、次いで、応答がネットワークを介して元の要求側電子デバイスに送信される間に、追加の遅延が導入され得る。したがって、ワイヤレス通信システム内での強化されたＤＮＳクエリのための改善された方法およびシステムが望ましい。
【００２２】
[0040]  ネットワークシステムにおける遅延を管理する１つの方法は、動作を並行して実行することである。たとえば、複数のプロセスが連続的に実行される場合、すべてのプロセスを完了するのに必要とされる時間は、少なくとも各プロセスを個々に実行するのに必要とされる時間の合計となる。複数のプロセスが並行して実行される場合、すべてのプロセスを完了するのに必要とされる時間は、最も長いプロセスを完了するのに必要な時間まで短くなり得る。
【００２３】
[0041]  開示される実施形態のいくつかは、ワイヤレス通信ネットワークを介してサーバとの通信を確立するプロセスを並列化する、すなわち、いくつかのネットワークプロセスを同時に実施する。通信を確立することに関連付けられたいくつかのプロセスを並行して実行することによって、ワイヤレス通信システムを介して通信を確立することに関連付けられた遅延は、連続化された通信確立プロセスと比較すると、低減され得る。
【００２４】
[0042]  一態様では、サーバとの通信を確立するプロセスは、通信確立プロセスにおいて既知の方法よりも早く局のネットワークアドレスを要求することによって、並列化される。より早くネットワークアドレスを要求することによって、応答もプロセスにおいてより早くネットワークアドレス割当てサーバから受信され得る。
【００２５】
[0043]  別の態様では、局がネットワークアドレスを利用する前に重複アドレス検出（ＤＡＤ）を実行する必要性が低減されるか、または排除され得る。ＡＰが、ＡＰが関連付けられている局に対してインターフェース識別子を割り当てることを可能にすることによって、ＡＰは集中制御を維持し、インターフェース識別子が関連する局にわたって重複しないことを保証するのに役立つ。これは、局が少なくともインターフェース識別子に部分的に基づいて形成されたネットワークアドレスを利用する前に重複アドレス検出を実行する必要性を低減し得る。
【００２６】
[0044]  別の態様では、本明細書で開示するプロセスのいくつかを並行して実行することによって、局は同じネットワーク内の別の局との通信を開始する前にアドレス解決プロトコル（ＡＲＰ）を実行する要件から解放され得る。この態様では、ＡＰはマッピングをそのＡＰに関連付けられたすべての局に送信することができる。そのようなマッピングは、対応するＭＡＣアドレスにリンクされた、関連する各局のネットワークアドレスを備え得る。受信局は、マッピングをキャッシュするか、またはさもなければ記憶し、提供された情報を使用して、関連するＭＡＣアドレスを取得するためにＡＲＰを実行することなしに、ネットワークにおける別の局との直接通信を開始することができる。
【００２７】
[0045]  別の態様では、通信を確立する際の遅延は、ＡＰがＤＮＳサーバのネットワークアドレス情報を局に提供することによって低減され得る。たとえば、ＡＰは、ＤＮＳサーバのＩＰアドレスおよび／またはＤＮＳサーバのＭＡＣアドレスを提供することができる。いくつかの態様では、ＡＰは、ＤＮＳクエリがＳＴＡによって送信され得る先のゲートウェイのＩＰアドレスを提供することができる。このネットワークアドレス情報は、関連付け要求／応答メッセージ交換の一部として、局に提供され得る。別の態様では、ネットワークアドレス情報は認証要求／応答交換において提供され得る。この情報を局に提供することによって、局がＤＮＳサーバのネットワークアドレス情報を個別に解決する必要性が低減され得、したがって、通信を確立するのに必要な時間を低減する。
【００２８】
[0046]  別の態様では、通信を確立する際の遅延は、ネットワークアドレス割当てサーバが、ネットワーク内の他のデバイス（たとえば、ＳＴＡ）に割り当てられたネットワークアドレスの、ネットワーク中のこれらの他のデバイスの対応するネットワークアクセス識別子へのマッピングを、ＡＰに送信するか、またはさもなければ提供することによって低減され得る。次いで、ＳＴＡは関連付け要求をＡＰに送信することができ、関連付け要求は、ネットワーク上で使用するために局によって要求されるネットワークアドレスを示す。ＡＰは、要求されたネットワークアドレスをマッピング中で検索することができる。見つかった場合、ＡＰは、要求されたネットワークアドレスが局のネットワークアクセス識別子にマッピングされているかどうかを決定することができる。マッピングされている場合、要求されたネットワークアドレスが局に割り当てられ得る。マッピングがＡＰに与えられるので、局へのネットワークアドレスの割当ては、メッセージをネットワークアドレス認証サーバ（たとえば、ＮＤＰ、ＡＲＰなど）と交換することなしに実行され得、したがって、メッセージングオーバーヘッドと、通信を確立することに関連付けられた遅延とを低減する。
【００２９】
[0047]  最初に図１を参照すると、例示的なワイヤレス通信システムが示されている。ワイヤレス通信システム１００は、ワイヤレス規格、たとえば８０２．１１ａｈ規格に従って動作することができる。ワイヤレス通信システム１００は、モバイルフォン１０６ａ、テレビジョン１０６ｂ、コンピュータ１０６ｃ、または別のＡＰ１０６ｄ（以下で個別にまたは総称して１０６によって識別される）などのＳＴＡと通信するＡＰ１０４を含み得る。
【００３０】
[0048]  様々な処理および方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送受信され得る。この場合、ワイヤレス通信システム１００は、ＯＦＤＭ／ＯＦＤＭＡシステムと呼ばれ得る。代替的に、信号は、ＣＤＭＡ技法に従って、ＡＰ１０４とＳＴＡ１０６との間で送受信され得る。この場合、ワイヤレス通信システム１００は、ＣＤＭＡシステムと呼ばれ得る。
【００３１】
[0049]  ＡＰ１０４からＳＴＡ１０６のうちの１つまたは複数への送信を容易にする通信リンクはダウンリンク（ＤＬ）１０８と呼ばれることがあり、ＳＴＡ１０６のうちの１つまたは複数からＡＰ１０４への送信を容易にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００３２】
[0050]  ＡＰ１０４は、基本サービスエリア（ＢＳＡ）１０２においてワイヤレス通信カバレージを与え得る。ＡＰ１０４は、ＡＰ１０４に関連付けられ、また通信のためにＡＰ１０４を使用するように構成されたＳＴＡ１０６とともに、基本サービスセット（ＢＳＳ）と呼ばれることがある。ワイヤレス通信システム１００は、中央ＡＰ１０４を有しないことがあり、むしろ、（たとえば、ＷＬＡＮまたは８０２．１１接続における）ＳＴＡ１０６間のピアツーピアネットワークとして機能し得ることに留意されたい。したがって、本明細書で説明するＡＰ１０４の機能は、ＳＴＡ１０６のうちの１つまたは複数によって代替的に実行され得る。
【００３３】
[0051]  ＳＴＡ１０６がＡＰ１０４に関連付けるための様々な方法が存在する。１つの方法によれば、ＳＴＡ１０６は要求を検出されたＡＰ１０４に送信する。いくつかの実装形態では、この要求はプローブ要求と呼ばれ得る。別の方法によれば、ＡＰ１０４は、ＡＰ１０４に関連付けるためにＳＴＡによって使用され得る情報を含む信号を送信することができる。いくつかの実装形態では、この信号はビーコン信号と呼ばれ得る。プローブ要求またはビーコン信号は、サービスセット識別子（ＳＳＩＤ）などの識別子、ＳＴＡ１０６および／またはＡＰ１０４が通信可能なデータレートを指定するインジケータ、認証チャレンジ値（たとえば、アノンス（ａｎｏｎｃｅ））、または他のアクセス情報を含む情報を含み得る。
【００３４】
[0052]  いくつかの実装形態では、ＳＴＡ１０６は、関連付け手順を開始し、関連付けられると、ＤＮＳクエリを送信する。これらの実装形態では関連付け手順およびＤＮＳ手順が連続的に実行されるので、関連付けが完了するまでＤＮＳクエリがＳＴＡ１０６で待ち行列に入れられる場合に、ＤＮＳクエリの処理における遅れが体験され得る。いくつかの実装形態では、ＳＴＡ１０６はＤＮＳクエリをＡＰ１０４に送信することができ、ＡＰ１０４においてクエリが処理され、要求側ＳＴＡ１０６に再び関連付けられ得る。いずれかの実装形態では、関連付けの完了前にサブミットされたクエリを管理するために必要とされ得る追加のリソースに遅れがさらに導入され得る。
【００３５】
[0053]  いくつかの開示される実装形態では、ＳＴＡ１０６は、関連付け手順の一部として、１つまたは複数のＤＮＳクエリを含み得る。たとえば、ＳＴＡ１０６は、１つまたは複数のＤＮＳクエリを含む関連付け要求フレーム中に情報要素を含み得る。ＤＮＳクエリは、ネットワークロケーションへの完全ＵＲＬ（ユニバーサルリソースロケータ）、ネットワークロケーションのトップレベルドメイン名、またはネットワークロケーションを識別する他の情報を含み得る。そのような実装形態では、関連付け手順が完了すると、ＡＰ１０４はＤＮＳクエリの処理を開始することができる。いくつかの実装形態では、ＤＮＳクエリは関連付け手順のうちの少なくともいくつかと並列して処理される。関連付け手順が完了すると、受信された任意のＤＮＳクエリ結果は関連付け応答信号に含まれ得る。たとえば、ＡＰ１０４は、ＤＮＳクエリ応答を関連付け応答フレームの情報要素に含めるように構成され得る。
【００３６】
[0054]  図２は、図１のワイヤレス通信システム内で利用され得る例示的なワイヤレスデバイスの機能ブロック図を示す。ワイヤレスデバイス２０２は、本明細書で説明する様々な方法を実装するように構成され得るデバイスの一例である。たとえば、ワイヤレスデバイス２０２は、ＡＰ１０４、またはＳＴＡ１０６のうちの１つを備え得る。したがって、以下で説明する様々な構成要素は、必要に応じて、ＡＰ１０４またはＳＴＡ１０６のいずれかに組み込まれ得る。
【００３７】
[0055]  ワイヤレスデバイス２０２は、ワイヤレスデバイス２０２の動作を制御するプロセッサユニット２０４を含み得る。プロセッサユニット２０４のうちの１つまたは複数は中央処理装置（ＣＰＵ）と総称されることがある。読取り専用メモリ（ＲＯＭ）とランダムアクセスメモリ（ＲＡＭ）の両方を含み得るメモリ２０６は、命令とデータとをプロセッサユニット２０４に与える。メモリ２０６の一部分は、不揮発性ランダムアクセスメモリ（ＮＶＲＡＭ）も含み得る。プロセッサユニット２０４は、メモリ２０６内に記憶されたプログラム命令に基づいて論理演算と算術演算とを実行するように構成され得る。メモリ２０６中の命令は、本明細書で説明する方法を実装するように実行可能であり得る。
【００３８】
[0056]  プロセッサユニット２０４は、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行することができる任意の他の適切なエンティティの任意の組合せを用いて実装され得る。プロセッサユニット２０４がＤＳＰを備える実装形態では、ＤＳＰは、送信のためのパケット（たとえば、データパケット）を生成するように構成され得る。いくつかの態様では、パケットは物理レイヤデータユニット（ＰＰＤＵ）を備え得る。
【００３９】
[0057]  ワイヤレスデバイス２０２は、ソフトウェアを記憶するための機械可読媒体も含み得る。処理ユニット２０４は、ソフトウェアを記憶するための１つまたは複数の機械可読媒体を備え得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の適切なコード形式の）コードを含み得る。命令は、プロセッサユニット２０４によって実行されると、ワイヤレスデバイス２０２に、本明細書で説明する様々な機能を実行させる。
【００４０】
[0058]  ワイヤレスデバイス２０２は、ワイヤレスデバイス２０２と遠隔ロケーションとの間のデータの送信および受信をそれぞれ可能にするための送信機２１０および／または受信機２１２を含み得る。送信機２１０および受信機２１２は組み合わされてトランシーバ２１４になり得る。アンテナ２１６は、ハウジング２０８に取り付けられ、トランシーバ２１４と電気的に結合され得る。ワイヤレスデバイス２０２は、複数の送信機、複数の受信機、複数のトランシーバ、および／または複数のアンテナも含み得る（図示せず）。
【００４１】
[0059]  送信機２１０は、パケットおよび／または信号をワイヤレス送信するように構成され得る。たとえば、送信機２１０は、上記で説明した、プロセッサユニット２０４によって生成された異なるタイプのパケットを送信するように構成され得る。パケットは、送信機２０１にとって利用可能になる。たとえば、プロセッサユニット２０４は、メモリ２０６にパケットを記憶し得、送信機２０１は、パケットを取り出し、アンテナ２１６を介してパケットを送信するように構成され得る。
【００４２】
[0060]  ワイヤレスデバイス２０２のアンテナ２１６は、ワイヤレス送信されたパケット／信号を検出する。受信機２１２は、検出されたパケット／信号を処理し、それらをプロセッサユニット２０４にとって利用可能にするように構成され得る。たとえば、受信機２１２は、メモリ２０６にパケットを記憶し得、プロセッサユニット２０４は、パケットを取り出すように構成され得る。
【００４３】
[0061]  ワイヤレスデバイス２０２は、トランシーバ２１４によって受信された信号のレベルを検出し、定量化するために使用され得る、信号検出器２１８も含み得る。信号検出器２１８は、総エネルギー、シンボルごとのサブキャリア当たりのエネルギー、電力スペクトル密度および他の信号などの信号を検出し得る。ワイヤレスデバイス２０２は、信号を処理する際に使用するためのデジタル信号プロセッサ（ＤＳＰ）２２０も含み得る。ＤＳＰ２２０は、送信のためのパケットを生成するように構成され得る。いくつかの態様では、パケットは物理レイヤデータユニット（ＰＰＤＵ）を備え得る。
【００４４】
[0062]  いくつかの態様では、ワイヤレスデバイス２０２はユーザインターフェース２２２をさらに備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を伝えるおよび／またはユーザからの入力を受信する、任意の要素または構成要素を含み得る。ワイヤレスデバイス２０２は、ワイヤレスデバイス２０２に含まれる構成要素のうちの１つまたは複数を囲むハウジング２０８も含み得る。
【００４５】
[0063]  ワイヤレスデバイス２０２は、関連付け要求プロセッサ２３０も含み得る。関連付け要求プロセッサ２３０は、ワイヤレスデバイスをワイヤレスネットワークに関連付けるための信号を処理するように構成され得る。いくつかの実装形態では、信号は関連付け要求、サービス要求、またはアタッチメント要求と呼ばれ得る。ここではワイヤレスデバイス２０２のスタンドアロン構成要素として示されているが、関連付け要求プロセッサ２３０および関連する機能はまた、ＤＳＰ２２０またはプロセッサユニット２０４または他の適切なサブシステム内に実装され得る。
【００４６】
[0064]  ワイヤレスデバイス２０２がＳＴＡ１０６として実装されるとき、関連付け要求プロセッサ２３０は、ワイヤレスデバイス２０２上で実行されているアプリケーションから１つまたは複数のＤＮＳクエリを取得するように構成され得る。ＤＮＳクエリは、説明するように、関連付け要求に含まれ得る。いくつかの実装形態では、ＤＮＳクエリは、関連付け要求の後、ただし、ネットワークとのワイヤレスデバイス２０２の関連付けを完了する前に送信され得る。
【００４７】
[0065]  ワイヤレスデバイス２０２がＡＰ１０４として実装されるとき、関連付け要求プロセッサ２３０は、デバイスとの関連付けを完了する前にデバイスに対するＤＮＳクエリを処理するように構成され得る。図４などを参照して、ＡＰ１０４に含まれ得る関連付け要求プロセッサ２３０について以下でさらに詳細に説明する。
【００４８】
[0066]  ワイヤレスデバイス２０２の様々な構成要素は、バスシステム２２６によって一緒に結合され得る。バスシステム２２６は、たとえば、データバス、ならびに、データバスに加えて、電力バスと、制御信号バスと、ステータス信号バスとを含み得る。ワイヤレスデバイス２０２の構成要素は、何らかの他の機構を使用して、一緒に結合され得るか、または互いに対する入力を受け入れ、または提供し得ることを当業者は諒解されよう。
【００４９】
[0067]  図２には、いくつかの別個の構成要素が示されているが、構成要素のうちの１つまたは複数が組み合わされ得るかまたは共通に実装され得ることを当業者は認識されよう。たとえば、プロセッサユニット２０４は、プロセッサユニット２０４に関して上記で説明した機能を実装するためだけでなく、信号検出器２１８または関連付け要求プロセッサ２３０に関して上記で説明した機能を実装するためにも使用され得る。さらに、図２に示す構成要素の各々は、複数の別個の要素を使用して実装され得る。
【００５０】
[0068]  図３は、ワイヤレス通信システムの例示的な実装形態を示す。図３に示すワイヤレス通信システム３００は、車両所として示されている。車両所３０２の屋根の上に、第１のＡＰ３０４が設置されている。車両所３０２の最も近くに、第２のＡＰ３０６が設置されている。ワイヤレス通信するように構成された１つまたは複数のＳＴＡ１０６を有する乗客を搬送する列車３０８が、車両所３０２に到着し得る。
【００５１】
[0069]  列車３０８などの車両が移動すると、列車の内部にある（たとえば、乗客が所持している）（破線で示す）ＳＴＡ１０６は、第１のＡＰ３０４および第２のＡＰ３０６からのサービスを必要とし得る。列車３０８が移動し、様々なＳＴＡ１０６が第１のＡＰ３０４または第２のＡＰ３０６に関連付けしようとするとき、接続またはアソシエーティッド（ａｓｓｏｃｉａｔｅｄ）が行われる速度がますます重要になる。列車が車庫３０２を通り、第１のＡＰ３０４と第２のＡＰ３０６の各々の範囲を出たり入ったりして移動している場合、通信における遅れは効率的なデータ伝送にとって有害になることがある。
【００５２】
[0070]  本開示の様々な態様を説明する際に、図３の列車ベースの通信システムが使用され得る。ただし、本明細書で説明する方法およびシステムは、輸送設定だけでなく、移動中のＳＴＡ１０６が通信のための高速な初期リンクセットアップを必要とし得る場合の、様々なワイヤレス通信システムで適用可能であることを諒解されたい。他の実装形態は、車の運転者がネットワークにアタッチすることを可能にするトラフィック信号ＡＰ、道路上のＳＴＡ（たとえば、運転者、歩行者、自転車乗り）がネットワークにアタッチすることを可能にするパーキングメーターＡＰ、ライブラリなどを含み得る。
【００５３】
[0071]  図４Ａは、開示される実施形態のうちの１つを実装する、ＳＴＡ１０６とＡＰ１０４との間の例示的な関連付け要求および応答メッセージ交換のためのコールフロー図４００を示す。詳細には、図４Ａによって示される態様は、ＳＴＡによって重複アドレス検出を実行する必要性が低減されているので、ワイヤレスネットワーク上で通信を確立するときに、低減された遅延をもたらし得る。現行の方法では、ＳＴＡは、ＳＴＡが選択するインターフェース識別子に少なくとも部分的に基づいてネットワークアドレス（たとえば、ＩＰアドレス、ローカルネットワークアドレスなど）を決定することができる。ＳＴＡがインターフェース識別子を選択しているので、ＳＴＡは別のＳＴＡによって以前に選択されたインターフェース識別子、すなわち重複アドレスを選択することができる。いくつかの態様では、これらの重複インターフェース識別子は、ワイヤレスネットワーク上で使用される重複ネットワークアドレスを形成するために使用され得るが、このことは望ましくなく、ネットワーク内の非効率につながる場合がある。重複アドレスを回避するために、ＳＴＡがそれ自体のインターフェース識別子を選択した後、ＳＴＡは重複アドレス検出プロセスを実行することができる。たとえば、ＩＰバージョン６（ＩＰｖ６）実装形態は、重複アドレス検出を実行するために近隣者発見プロトコル（ＮＤＰ：Neighbor Discovery Protocol）を使用し得る。ＳＴＡが重複アドレス検出を実行する必要性を低減し、アドレスを提供するのに必要となる時間量を低減するために、提案される方法およびシステムにおけるＡＰは、ＡＰに関連付けられた各ＳＴＡに対するインターフェース識別子を決定する集中化方法を使用する。次いで、決定されたインターフェース識別子は、いくつかの態様では関連付け応答メッセージにおいて、ＳＴＡに通信される。ＡＰは、ＡＰに関連付けるすべてのＳＴＡに対するインターフェース識別子を決定するので、ＡＰは関連するＳＴＡにわたってインターフェース識別子が重複しないことを保証することができる。インターフェース識別子が重複しないので、インターフェース識別子が関連するＳＴＡのネットワークアドレスの一部分を備えると想定して、関連するＳＴＡには重複ネットワークアドレスが割り当てられない。ネットワーク識別子の割当てのためのそのような集中化方法を使用し、ＳＴＡが重複アドレス検出を実行する要件を低減または排除して、図４Ａに示す提案される解決策は、ワイヤレスネットワークを介して通信を確立することに関連付けられた遅延を低減し得る。
【００５４】
[0072]  コールフロー図４００は、ワイヤレス通信ネットワークに関連付けられ得るいくつかのエンティティを含む。ＡＰ１０４が信号４０５を送信するときに、コールフローが開始され得る。図４Ａに示す信号４０５はビーコン信号である。信号４０５は、ＳＴＡがワイヤレス通信ネットワークに関連付けるために使用し得る情報を含み得る。
【００５５】
[0073]  ＳＴＡ１０６は信号４０５を受信し得る。受信された信号４０５に基づいて、ＳＴＡ１０６はＡＰ１０４に関連付けるように構成され得る。ＳＴＡ１０６は、許可を要求する信号４０６を送信するように構成され得る。いくつかの態様では、許可要求メッセージ４０６はネットワークアクセス識別子を含み得る。ＡＰ１０４は、許可応答メッセージ４０７を送信することによって、許可要求メッセージ４０６に応答し得る。次いで、ＳＴＡ１０６は、信号４１２を送信することによって、ワイヤレス通信ネットワークとの関連付けをＡＰ１０４に要求し得る。信号４１２は関連付け要求信号であり得る。ＬＴＥを利用する実装形態では、メッセージ４１２はアタッチ要求であり得る。信号４１２は、ＳＴＡ１０６によって要求されるインターフェース識別子の数またはタイプの指示を含み得る。いくつかの態様では、信号４１２は、ＳＴＡによって要求されるインターフェース識別子の数（たとえば、総数）を示し得る。
【００５６】
[0074]  いくつかの実装形態では、信号４１２はレベル２−ＭＡＣベースを介して送信される。このリンクレイヤシグナリングは、ネットワークとの完全な関連付けおよび認証の前に、関連付け要求がサブミットされることを可能にする。ＬＴＥまたはＵＭＴＳベースのシステムでは、信号４１２はＮＡＳ（非アクセス層：Non-Access Stratum）を介して送信され得る。そのようなシステムでは、パケットゲートウェイは信号４１２をサービスするように構成され得る。ＨＲＰＤまたはｃｍｄａ１ｘベースのシステムでは、信号４１２はＰＰＰ／モバイルＩＰを介して送信され得る。そのようなシステムでは、ホームエージェント（ＨＡ）またはパケット状態切替えノード（ＰＤＳＮ）は信号４１２をサービスするように構成され得る。
【００５７】
[0075]  ＡＰ１０４は、関連付け手順の一部として、信号４１２を処理し得る。その信号処理の一部として、ＡＰ１０４は、ＳＴＡ１０６に割り当てるための１つまたは複数のインターフェース識別子を決定し得る。１つまたは複数のインターフェース識別子は、ＡＰ１０４によって維持されるインターフェース識別子のプールに基づいて決定され得る。代替的に、ＡＰ１０４は、別のエンティティ、たとえば、動的ホスト構成プロトコル（ＤＨＣＰ：Dynamic Host Configuration Protocol）サーバからインターフェース識別子を要求することによって、１つまたは複数のインターフェース識別子を決定し得る。
【００５８】
[0076]  ＡＰ１０４は、関連付け応答信号４２０を生成し得る。関連付け応答信号は、１つまたは複数のインターフェース識別子を示し得る。いくつかの態様では、インターフェース識別子は、ＳＴＡのためにＡＰによって割り当てられたＩＰｖ６アドレスの一部分を備え得る。ＡＰ１０４から１つまたは複数のインターフェース識別子を受信すると、ＳＴＡ１０６は、１つまたは複数のインターフェース識別子に基づいて、１つまたは複数のネットワークアドレスを決定し得る。たとえば、ＳＴＡ１０６は、ビーコン４１０信号に含まれるプレフィックスに基づいて、また、信号４２０によって示されるインターフェース識別子に基づいて、ＩＰアドレスを決定し得る。
【００５９】
[0077]  次いで、ＳＴＡ１０６は、決定されたネットワークアドレスを利用して、データメッセージ４２５を送ることができる。たとえば、ＳＴＡ１０６は、ワイヤレスネットワークを介して通信するために、決定されたネットワークアドレスを使用することができる。
【００６０】
[0078]  図４Ｂは、開示される実施形態のうちの１つを実装する、ＳＴＡ１０６とＡＰ１０４との間の例示的な関連付け要求および応答メッセージ交換のためのコールフロー図４４０を示す。詳細には、図４Ｂに示す実施形態は、ＳＴＡがＤＮＳサーバのネットワークアドレスおよび／またはＭＡＣアドレスを解決するために独立したまたは別個のシグナリングを実行する必要性を低減することによって、ワイヤレスネットワーク上で通信を確立するときに低減された遅延をもたらし得る。開示される方法およびシステムにおけるＡＰ１０４は、ＤＮＳサーバのネットワークアドレス情報をＳＴＡ１０６に提供する。いくつかの態様では、これは、ＡＰ１０４からＳＴＡ１０６に送信される関連付け応答において提供される。次いで、ＳＴＡは利用可能なＤＮＳサーバのネットワークアドレス情報を有するので、ＳＴＡ０６は、ＤＮＳサーバアドレスを解決するためのシグナリングを最初に実行する必要なしに、ＤＮＳサーバとの通信を開始することができる。
【００６１】
[0079]  コールフロー図は、ワイヤレス通信ネットワークに関連付けられ得るいくつかのエンティティを含む。ＡＰ１０４が信号４５０を送信するときに、コールフローが開始され得る。図４Ｂに示す信号４５０はビーコン信号である。信号４５０は、ＳＴＡ１０６がワイヤレス通信ネットワークに関連付けるために使用し得る情報を含み得る。
【００６２】
[0080]  ＳＴＡ１０６は、たとえばビーコン信号であり得る信号４５０を受信し得る。受信された信号４５０に基づいて、ＳＴＡ１０６はＡＰ１０４に関連付けるように構成され得る。ＳＴＡ１０６は、ワイヤレス通信ネットワークとの関連付けを要求する信号４５５をＡＰ１０４に送信するように構成され得る。信号４５５は、たとえば、関連付け要求信号であり得る。ＬＴＥを利用する実装形態では、メッセージ４５５はアタッチ要求であり得る。
【００６３】
[0081]  いくつかの実装形態では、信号４５５はレベル２−ＭＡＣベースを介して送信される。このリンクレイヤシグナリングは、ネットワークとの完全な関連付けおよび認証の前に、関連付け要求がサブミットされることを可能にする。ＬＴＥまたはＵＭＴＳベースのシステムでは、信号４５５はＮＡＳを介して送信され得る。そのようなシステムでは、パケットゲートウェイは信号４５５をサービスするように構成され得る。ＨＲＰＤまたはｃｍｄａ１ｘベースのシステムでは、信号４５５はＰＰＰ／モバイルＩＰを介して送信され得る。そのようなシステムでは、ホームエージェント（ＨＡ）またはパケット状態切替えノード（ＰＤＳＮ）は信号４５５をサービスするように構成され得る。
【００６４】
[0082]  ＡＰ１０４は、関連付け手順の一部として、信号４５５を処理し得る。その信号処理の一部として、ＡＰ１０４は、破線で示す信号交換４７０中にＤＮＳサーバ４９０のネットワークアドレス情報を決定し得る。信号交換４７０の両端矢印は、ＤＮＳネットワークアドレスのクエリと応答など、ＡＰ１０４とＤＮＳサーバ４９０との間の情報交換を示す。たとえば、ＡＰ１０４は、いくつかの態様では、ＤＮＳサーバ４９０のＩＰアドレスを決定し得る。いくつかの態様では、ＡＰ１０４は、信号交換４７０中にＤＮＳサーバ４９０のＭＡＣアドレスも決定し得る。いくつかの実施形態では、信号交換４７０は、以下で説明する信号４６０とともに送られた（ＤＮＳネットワークアドレスを含む）関連付け応答の前のどの時点でも行われ得る。
【００６５】
[0083]  ＡＰ１０４は、関連付け応答信号４６０を生成し得る。関連付け応答信号は、ＤＮＳサーバ４９０のネットワークアドレス指定情報を示し得る。たとえば、関連付け応答信号４６０は、ＤＮＳサーバのＩＰアドレスおよび／またはＤＮＳサーバのＭＡＣアドレスを示し得る。
【００６６】
[0084]  次いで、ＳＴＡ１０６は、関連付け応答メッセージ４６０においてＡＰ１０４によって提供されたネットワークアドレス情報を使用して、ＤＮＳクエリ４６５をＤＮＳサーバに送ることができる。ＳＴＡ１０６は、代わりにＡＰ１０４によって提供されたＤＮＳサーバのネットワークアドレス情報を取得するための独立したシグナリングを必要とすることなしに、ＤＮＳサーバ４９０と通信することができることに留意されたい。これは、ワイヤレスネットワーク上で通信を確立するＳＴＡ１０６における低減された遅延をもたらし得る。
【００６７】
[0085]  図５Ａは、開示される実施形態のうちの１つを実装する、第１のＳＴＡ１０６ａ、ＡＰ１０４と第２のＳＴＡ１０６ｂとの間の例示的なメッセージ交換のためのコールフロー図を示す。詳細には、図５Ａに示す実施形態は、第１のＳＴＡが第２のＳＴＡのネットワークアドレスおよび／またはＭＡＣアドレスを解決するために独立したまたは別個のシグナリングを実行する必要性を低減することによって、ワイヤレスネットワーク上で通信を確立するときに低減された遅延をもたらし得る。代わりに、開示される方法およびシステムにおけるＡＰは、第２のＳＴＡのネットワークアドレス情報を第１のＳＴＡに提供する。第１のＳＴＡは利用可能な第２のＳＴＡのネットワークアドレス情報を有するので、第１のＳＴＡは、第２のＳＴＡのアドレス情報を解決するためのシグナリングを最初に実行する必要なしに、第２のＳＴＡとの通信を開始することができる。
【００６８】
[0086]  コールフロー図は、ワイヤレス通信ネットワークに関連付けられ得るいくつかのエンティティを含む。コールフローは、第１のＳＴＡ１０６ａと、ＡＰ１０４と、第２のＳＴＡ１０６ｂとを含む。第１のＳＴＡ１０６ａは、ＡＰ１０４からマッピング信号またはメッセージ５５５を受信し得る。メッセージ５５５は、第２のＳＴＡの１０２ｂ  ＭＡＣアドレスへの第２のＳＴＡの１０６ｂネットワークアドレスのマッピングを含み得る。いくつかの態様では、マッピングメッセージ５５５は複数の局のマッピング情報を含む。いくつかの態様では、マッピングメッセージ５５５は、第１のＳＴＡ１０６ａからの先行する要求なしに、ＡＰ１０４によって非同期的に送信される。いくつかの態様では、マッピングメッセージ５５５は、ＡＰ１０４に関連付けられたすべてまたは複数のＳＴＡ１０６にブロードキャストまたはマルチキャストされ得る。
【００６９】
[0087]  マッピングメッセージ５６０を受信すると、第１のＳＴＡ１０６ａは次いで、（たとえば、第２のＳＴＡ１０６ｂとＡＲＰメッセージを交換することによって）第２のＳＴＡの１０６ｂ  ＭＡＣアドレスを取得するためのアドレス解決シグナリングを実行する必要なしに、データメッセージ５６０を介して第２のＳＴＡ１０６ｂとの通信を開始することができる。これは、第２のＳＴＡ１０６ｂとの通信が、既知の方法と比べると低減された遅延を伴って確立されることを可能にし得る。
【００７０】
[0088]  図５Ｂは、開示される実施形態のうちの１つを実装する、ＳＴＡ１０６、ＡＰ１０４と、（図示の実施形態ではＤＨＣＰサーバとして示される）ネットワークアドレス割当てサーバ５０４との間の例示的なメッセージ交換のためのコールフロー図を示す。詳細には、図５Ｂに示す実施形態は、既知のまたは現行の方法の場合よりも、ＳＴＡ１０６のための通信を確立するのに必要な処理のより大きい部分を並行して実行することによって、ワイヤレスネットワーク上で通信を確立するときに低減された遅延をもたらし得る。現行の方法では、ＡＰは、ＳＴＡから関連付け要求を受信するまで、ＳＴＡのネットワークアドレスを要求しない場合がある。ネットワークアドレス割当てサーバが応答するのを待機している間に導入される遅れは、ＳＴＡが通信を確立するのを待機しなければならない時間量を増加させ得る。
【００７１】
[0089]  図５Ｂの図示の実施形態では、ＡＰ１０４は、ＳＴＡ１０６から関連付け要求を受信する前に、ネットワークアドレスについての要求を開始する。いくつかの態様では、ネットワークアドレス割当てサーバ５０４はネットワークアドレスを割り当てるためにネットワークアクセス識別子を利用し得るので、ＡＰ１０４は、ＳＴＡ１０６から許可フレームを受信した後に、ネットワークアドレスについての要求を開始することができる。許可フレームは、ネットワークアドレス割当てサーバによって使用されるネットワークアクセス識別子を含み得る。通信確立プロセスにおいてネットワークアドレスについての要求は現行の方法の場合よりも早く開始されるので、通信を確立するのに必要な合計経過時間は、現行の方法と比べると低減され得る。そのような能力は、図３の列車シナリオと同様に高速な通信セットアップが望ましい状況において有利であることを実証し得る。
【００７２】
[0090]  図５Ｂのコールフロー図は、ワイヤレス通信ネットワークに関連付けられ得るいくつかのエンティティを含む。コールフローは、ＳＴＡ１０６と、ＡＰ１０４と、認証サーバ（ＡＳ）５０２と、この実施形態ではＤＨＣＰサーバとして示されるネットワークアドレス割当てサーバ５０４とを含む。ＳＴＡ１０６は、許可フレーム５１０をＡＰ１０４に送信し得る。許可フレームは、ネットワークアクセス識別子を含み得る。たとえば、ネットワークアクセス識別子は、ワイヤレスネットワークへのアクセスを要求しているまたはワイヤレスネットワークにアクセスできるユーザを識別し得る。
【００７３】
[0091]  許可フレーム５１０を受信したことに応答して、ＡＰは、許可フレーム５１０によって示されるネットワークアクセス識別子がワイヤレスネットワークにアクセスできるかどうかを決定するために、認証サーバ５０２とメッセージを交換することができる。認証プロセスの結果は、許可フレーム５１１においてＡＰ１０４によってＳＴＡ１０６に送信され得る。一実施形態では、認証は、図示のように、拡張認証プロトコル（ＥＡＰ：Extensible Authentication Protocol）またはＥＡＰ−ＲＰ形式を使用して実施され得る。ＡＰ１０４は、認証を実施するために遠隔認証ダイヤルインユーザサービス（ＲＡＤＩＵＳ：Remote Authentication Dial In User Service）ネットワーキングプロトコルをさらに利用し得る。
【００７４】
[0092]  許可が成功したと仮定すると、ＡＰ１０４はネットワークアドレス割当てサーバ５０４（ＤＨＣＰサーバ）からのＳＴＡ１０６のネットワークアドレスを要求し、メッセージ交換５１６を介して応答を受信することができる。次いで、ＳＴＡ１０６は関連付け要求５１２をＡＰ１０４に送ることができる。図５Ｂはメッセージ交換５１６が完了した後にＡＰ１０４に到着する関連付け要求を示しているが、いくつかの態様では、関連付け要求５１２は、応答がネットワークアドレス割当てサーバ５０４から受信される前にＡＰ１０４によって受信され得ることに留意されたい。
【００７５】
[0093]  ＡＰ１０４は、関連付け要求５１２を受信した後、関連付け応答５２０をＳＴＡ１０６に送信し得る。いくつかの態様では、関連付け応答５２０は、ＡＰ１０４および／またはネットワークアドレス割当てサーバ５０４によってＳＴＡ１０６に割り当てられたネットワークアドレスを示し得る。いくつかの態様では、ネットワークアドレスの割当ては、局から送信された許可フレーム５１０で起訴される（ｉｎｄｉｃｔｅｄ）ネットワークアクセス識別子に基づき得る。
【００７６】
[0094]  図６は、開示される実施形態のうちの１つを実装する、ＳＴＡ１０６、ＡＰ１０４と、（図示の実施形態ではＤＨＣＰサーバとして示される）ネットワークアドレス割当てサーバ５０４との間の例示的なメッセージ交換のためのコールフロー図を示す。詳細には、図６に示す実施形態は、ネットワークアドレス割当てサーバの独立したクエリを必要とすることなしに、ＳＴＡ１０６によって使用するために要求されるネットワークアドレスがＳＴＡ１０６に割り当てられ得るかどうかをＡＰ１０４が決定することを可能にすることによって、ワイヤレスネットワーク上で通信を確立するときに低減された遅延をもたらし得る。これは、高速な通信リンクセットアップが必要とされる状況、たとえば、移動中のＳＴＡ１０６またはワイヤレスデバイス（ＳＴＡ１０６）を持って列車３０８に乗っている個人において、やはり望ましいものであり得る。
【００７７】
[0095]  コールフローは、ネットワークアドレス割当てサーバ５０４（ＤＨＣＰサーバ）からＡＰ１０４に送信されるマッピングメッセージで始まる。マッピングメッセージは、対応するネットワークアクセス識別子へのネットワークアドレス（または様々なワイヤレスデバイス、たとえば、ＳＴＡ１０６）の１つまたは複数のマッピングを示し得る。いくつかの態様では、ネットワークアドレスはＩＰバージョン４（ＩＰｖ４）および／またはＩＰｖ６アドレスであり得る。いくつかの態様では、マッピングメッセージは、１つまたは複数のネットワークアドレスを、対応する加入識別子、またはワイヤレスネットワーク上でＳＴＡ１０６の認証に使用される対応する識別子にマッピングすることができる。マッピングは、各マッピングの生存時間値も示し得る。図６はマッピングメッセージがネットワークアドレス割当てサーバによって送信されることを示しているが、いくつかの他の態様では、マッピングメッセージは、ゲートウェイ（図示せず）、またはＳＴＡの近傍内の１組のＡＰのうちの１つもしくは複数によって送信され得る。
【００７８】
[0096]  次いで、ＡＰ１０４はＳＴＡ１０６から許可要求フレーム６０４を受信し得る。認証サーバ５０２とメッセージ６０７を交換した後、許可応答フレームはＳＴＡ１０６に送信される。次いで、ＳＴＡ１０６は関連付け要求フレーム６０８をＡＰに送信し得る。関連付け要求フレーム６０８は、要求されたネットワークアドレス（たとえば、ＩＰアドレス）を示す。関連付け要求フレーム６０８を受信すると、ＡＰ１０４は、要求されたネットワークアドレスについて、メッセージ６０２においてネットワークアドレス割当てサーバ５０４によって提供されたマッピングを検索することができる。要求されたネットワークアドレスがマッピング中で見つかった場合、ＡＰ１０４は、マッピングが要求されたネットワークアドレスを許可要求フレーム６０４においてＳＴＡ１０６によって提供されたネットワークアクセス識別子にマッピングするかどうかを決定することができる。いくつかの態様では、要求されたネットワークアドレスがネットワークアクセス識別子にマッピングされるかどうかは、マッピング中の生存時間フィールドに基づき得る。たとえば、生存時間フィールドに基づいてマッピングエントリが満了した場合、マッピングはＡＰ１０４によって考慮されない場合がある。
【００７９】
[0097]  ＡＰ１０４が、要求されたネットワークアドレスがマッピングメッセージ６０２で提供されるマッピングによって許可要求フレーム６０４で指定されるネットワークアクセス識別子にマッピングされると決定した場合、ＡＰ１０４は、要求されたネットワークアドレスに相当する割り当てられたネットワークアドレスを含む関連付け応答フレーム６１０をＳＴＡ１０６に送信し得る。場合によっては、割り当てられたネットワークアドレスは要求されたネットワークアドレスとは異なり得る。
【００８０】
[0098]  図７は、ワイヤレス通信システムを使用して通信を確立することに関連付けられた遅延を低減する方法のプロセスフロー図を示す。プロセスは、上記の図２または以下の図１７に示すデバイスなどの本明細書で説明するデバイスによって、全体的にまたは部分的に実行され得る。いくつかの実装形態では、プロセス７００はＳＴＡ、たとえば、ＳＴＡ１０６で実装され得る。いくつかの態様では、インターフェース識別子自体を生成する代わりにＡＰ１０４からインターフェース識別子を受信することによって、ＳＴＡ１０６は、ネットワーク通信に使用されるべきネットワークアドレスを決定した後に重複アドレス検出プロセスを実行するのを回避することができる。ＡＰ１０４がインターフェース識別子をＳＴＡ１０６に割り当てるので、ＡＰ１０４は重複インターフェース識別子がＳＴＡ１０６に与えられないことを保証することができる。
【００８１】
[0099]  プロセスは、関連付け要求が局によってアクセスポイントに送信されるブロック７０５で始まる。ブロック７１０において、関連付け応答がアクセスポイントから受信される。関連付け応答は、アクセスポイントによって局に割り当てられたインターフェース識別子を示す。
【００８２】
[0100]  ブロック７１５において、ネットワークアドレスがインターフェース識別子に基づいて決定される。いくつかの態様では、ネットワークアドレスはＩＰｖ６アドレスであり得る。これらの態様では、ネットワークアドレスはプレフィックス部分と、インターフェース識別子部分とを備え得る。インターフェース識別子部分は、アクセスポイントによって局に割り当てられたインターフェース識別子からなり得る。プレフィックス部分は、アクセスポイントによって送信されたビーコン信号から取得され得る。プロセス７００のいくつかの実装形態では、ブロック７１５が実行されない場合があることに留意されたい。
【００８３】
[0101]  ブロック７２０において、メッセージが送信される。送信されたメッセージは、決定されたネットワークアドレスを利用する。たとえば、メッセージは、決定されたネットワークアドレスを、インターネットを介して送信局から宛先ノードにメッセージをルーティングするためのネットワークアドレスとして利用し得る。プロセス７００のいくつかの実装形態では、ブロック７２０が実行されないことに留意されたい。
【００８４】
[0102]  プロセス７００によって送信されるおよび／または受信される信号は、図４Ａのコールフローに示す信号に類似していてもよい。
【００８５】
[0103]  図８は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＡＰ、たとえば、ＡＰ１０４で実装され得る。いくつかの態様では、各局にそれ自体のインターフェース識別子を生成させる代わりにインターフェース識別子を割り当てることによって、アクセスポイントは、局がネットワーク通信に使用されるべきネットワークアドレスを決定した後に局が重複アドレス検出プロセスを実行する必要性を防ぐことができる。アクセスポイントがインターフェース識別子を局に割り当てるので、アクセスポイントは重複インターフェース識別子が局に与えられないことを保証することができる。
【００８６】
[0104]  プロセスは、関連付け要求がアクセスポイントによって受信されるブロック８０５で始まる。関連付け要求は局によって送信される。ブロック８１０において、インターフェース識別子が局に割り当てられる。いくつかの態様では、インターフェース識別子は局のネットワークアドレスの一部分（たとえば、ＩＰｖ６アドレス指定）を形成する。いくつかの態様では、アクセスポイントは、ネットワーク中の局に割り当てるためのインターフェース識別子のプールを維持し得る。アクセスポイントは、重複インターフェース識別子が異なる局に与えられないことを保証し得る。ブロック８１５において、関連付け応答がアクセスポイントによって局に送信される。関連付け応答は、ブロック８１０からの割り当てられたインターフェース識別子を示す。いくつかの態様では、局は次いで、インターフェース識別子に基づいて、ネットワークアドレスを形成し得る。たとえば、局は、割り当てられたインターフェース識別子を使用して、ＩＰｖ６アドレスを形成し得る。プロセス８００で送信されるおよび／または受信される信号は、図４Ａのコールフローに示す信号と同様に、ＳＴＡ１０６またはＡＰ１０４で実装され得る。
【００８７】
[0105]  図９は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＳＴＡ、たとえば、ＳＴＡ１０６で実装され得る。いくつかの態様では、関連付け応答メッセージの一部としてＤＮＳサーバのネットワークアドレスを受信することによって、ＳＴＡはネットワークアドレス情報を取得するための別個のシグナリングを開始する必要がない場合がある。これは、ＳＴＡが、既存の方法と比べると、通信確立プロセスにおいてより早くＤＮＳサーバとの通信を開始することを可能にし得る。
【００８８】
[0106]  プロセス９００は、関連付け要求が局によってアクセスポイントに送信されるブロック９０５で始まる。ブロック９１０において、局はアクセスポイントから関連付け応答を受信する。関連付け応答は、ＤＮＳサーバのネットワークアドレスを示し得る。いくつかの態様では、ネットワークアドレスはＩＰアドレスである。これらの態様のいくつかでは、ネットワークアドレスはＩＰｖ４アドレスである。これらの態様の他のいくつかでは、ネットワークアドレスはＩＰｖ６アドレスである。いくつかの態様では、関連付け応答はＤＮＳサーバのＭＡＣアドレスも含む。いくつかの他の態様では、関連付け応答は、ＤＮＳサーバと通信するために局によって使用され得るゲートウェイのネットワークアドレスおよび／またはＭＡＣアドレスを含み得る。いくつかの態様では、プロセス９００は、ネットワークアドレスに基づいてＤＮＳクエリをＤＮＳサーバに送信することをさらに含み得る。これらの態様のいくつかでは、ＤＮＳクエリはまた、ＤＮＳサーバＭＡＣアドレスに基づいて送信され得る。プロセス９００で送信されるおよび／または受信される信号は、図４Ｂのコールフローに示す信号と同様に、ＳＴＡ１０６またはＡＰ１０４で実装され得る。
【００８９】
[0107]  図１０は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＡＰ、たとえば、ＡＰ１０４で実装され得る。いくつかの態様では、関連付け応答メッセージの一部としてＤＮＳサーバのネットワークアドレスを送信することによって、ＡＰは、ＳＴＡがネットワークアドレス情報を取得するための別個のシグナリングを開始する必要性を防ぐことができる。これは、ＳＴＡが、既存の方法と比べると、通信確立プロセスにおいてより早くＤＮＳサーバとの通信を開始することを可能にし得る。
【００９０】
[0108]  プロセス１０００は、局からの関連付け要求がアクセスポイントによって受信されるブロック１００５で始まる。ブロック１０１０において、関連付け応答がアクセスポイントによって局に送信される。関連付け応答は、ＤＮＳサーバのネットワークアドレスを示す。いくつかの態様では、ネットワークアドレスは関連付け応答に含まれ得る。いくつかの他の態様では、関連付け応答はＤＮＳサーバのＭＡＣアドレスも示し得る。これらの態様のいくつかでは、ＭＡＣアドレスは関連付け応答に含まれ得る。いくつかの態様では、複数のＤＮＳサーバのネットワークアドレス情報は、関連付け応答メッセージによって示され得る。いくつかの態様では、関連付け応答は、ＤＮＳサーバと通信するために局によって使用され得るゲートウェイのネットワークアドレスおよび／またはＭＡＣアドレスを示し得る。これらの態様のいくつかでは、関連付け応答は、ＤＮＳサーバのネットワークアドレスまたはＭＡＣアドレスを含まない場合がある。プロセス１０００で送信されるおよび／または受信される信号は、図４Ｂのコールフローに示す信号と同様に、ＳＴＡ１０６またはＡＰ１０４で実装され得る。
【００９１】
[0109]  図１１は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＳＴＡ、たとえば、ＳＴＡ１０６で実装され得る。いくつかの態様では、第２の局のＭＡＣアドレスへの第２の局ネットワークアドレスのマッピングを受信することによって、プロセス１１００を実行する局は、第２の局と通信するときにアドレス解決を実行するための別個のシグナリングを実行する必要がない場合がある。これは、ＳＴＡが、既存の方法と比べると、より少ない遅延を伴って第２の局との通信を開始することを可能にし得る。
【００９２】
[0110]  プロセス１１００は、局がアクセスポイントから第２の局のＭＡＣアドレスへの第２の局のネットワークアドレスのマッピングを受信するブロック１１０５で始まる。いくつかの態様では、ネットワークアドレスはＩＰアドレスである。
【００９３】
[0111]  ブロック１１１０において、メッセージは、マッピングに含まれるＭＡＣアドレスに基づいて第２の局に送信される。いくつかの態様では、局またはＭＡＣアドレスへの１つまたは複数の局ネットワークアドレスのマッピングは、アクセスポイントから定期的に受信され得る。プロセス１１００で送信されるおよび／または受信される信号は、図５Ａのコールフローに示す信号と同様に、ＳＴＡ１０６またはＡＰ１０４で実装され得る。
【００９４】
[0112]  図１２は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＡＰ、たとえば、ＡＰ１０４で実装され得る。いくつかの態様では、局のＭＡＣアドレスへの局のネットワークアドレスのマッピングを送信することによって、別の局は、第１の局と通信するときにアドレス解決を遂行するための別個のシグナリングを実行する必要がない場合がある。これは、他方のＳＴＡが、既存の方法と比べると、より少ない遅延を伴って第１の局との通信を開始することを可能にし得る。
【００９５】
[0113]  プロセス１２００は、アクセスポイントが局のＭＡＣアドレスへの局のネットワークアドレスのマッピングを決定するブロック１２０５で始まる。いくつかの態様では、局のネットワークアドレスはＩＰアドレスである。マッピングは、アクセスポイントまたはネットワークアドレス割当てサーバのいずれかによって、ネットワークアドレスが局に割り当てられるときに決定され得る。ブロック１２１０において、マッピングは少なくとも第２の局に送信される。第２の局は、ブロック１２０５に関して説明した局とは異なる局である。いくつかの態様では、マッピングは、基本サービスセット内の複数の局にブロードキャストまたはマルチキャストされ得る。プロセス１２００で送信されるおよび／または受信される信号は、図５Ａのコールフローに示す信号と同様に、ＳＴＡ１０６またはＡＰ１０４で実装され得る。
【００９６】
[0114]  図１３は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＳＴＡ、たとえば、ＳＴＡ１０６で実装され得る。いくつかの態様では、関連付け応答の一部として割り当てられたＩＰアドレスを受信することによって、プロセス１３００を実行する局は、ネットワークアドレスを取得するための別個のシグナリングを実行する必要がない場合がある。これは、ＳＴＡが、既存の方法と比べると、より少ない遅延を伴ってワイヤレスネットワークを介した通信を開始することを可能にし得る。
【００９７】
[0115]  プロセス１３００は、局が関連付け要求をアクセスポイントに送信するブロック１３０５で始まる。ブロック１３１０において、関連付け応答メッセージがアクセスポイントから局によって受信され、関連付け応答は割り当てられたネットワークアドレスを示す。いくつかの態様では、割り当てられたネットワークアドレスはＩＰアドレスである。プロセス１３００で送信されるおよび／または受信される信号は、図５Ｂのコールフローに示す信号と同様に、ＳＴＡ１０６またはＡＰ１０４で実装され得る。
【００９８】
[0116]  図１４は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＡＰ、たとえば、ＡＰ１０４で実装され得る。いくつかの態様では、局から関連付け要求を受信する前に局のネットワークアドレスについての要求を送信することによって、ネットワークアドレスは、既存の方法で可能であったよりも早く局に提供され得る。これは、ＳＴＡ１０６が、既存の方法と比べると、より少ない遅延を伴ってワイヤレスネットワークを介した通信を開始することを可能にし得る。
【００９９】
[0117]  プロセス１４００は、アクセスポイントが局から認証要求を受信するブロック１４０５で始まる。ブロック１４１０において、局のネットワークアドレスについての要求がネットワークアドレス割当てサーバに送信される。いくつかの態様では、要求は、ブロック１４０５の認証要求の受信に応答して送信される。ブロック１４１５において、関連付け要求が局から受信される。ネットワークアドレスについての要求が送信された後、関連付け要求が受信される。
【０１００】
[0118]  プロセス１４００のいくつかの態様は、局の割り当てられたネットワークアドレスを示す応答をネットワークアドレス割当てサーバから受信することをさらに含む。次いで、プロセス１４００は、割り当てられたネットワークアドレスを示す関連付け応答を局に送信することをさらに含み得る。プロセス１４００のいくつかの態様では、ネットワークアドレス割当てサーバは動的ホスト構成プロトコル（ＤＨＣＰ）サーバである。いくつかの態様では、ネットワークアドレスはＩＰアドレスである。プロセス１４００で送信されるおよび／または受信される信号は、図５Ｂのコールフローに示す信号と同様に、ＳＴＡ１０６またはＡＰ１０４で実装され得る。
【０１０１】
[0119]  図１５は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＳＴＡ、たとえば、ＳＴＡ１０６で実装され得る。いくつかの態様では、局から関連付け要求を受信する前に局のネットワークアドレスについての要求を送信することによって、ネットワークアドレスは、既存の方法で可能であったよりも早く局に提供され得る。これは、ＳＴＡ１０６が、既存の方法と比べると、より少ない遅延を伴ってワイヤレスネットワークを介した通信を開始することを可能にし得る。
【０１０２】
[0120]  プロセス１５００は、関連付け要求が局によってアクセスポイントに送信されるブロック１５０５で始まる。関連付け要求は、要求されたネットワークアドレスを示す。いくつかの態様では、要求されたネットワークアドレスはＩＰアドレスである。いくつかの態様では、局には要求されたネットワークアドレスが以前に割り当てられている場合がある。局は、ネットワークアドレスを利用している間に、１つまたは複数の接続またはセッションを確立している場合がある。局に、局が以前に使用したのと同じネットワークアドレスが再び割り当てられ得る場合、これらの確立された接続またはセッションが維持され得る。新しいネットワークアドレスが局に割り当てられる場合、以前のまたは要求されたネットワークアドレスに基づいて確立された任意の接続またはセッションは終了され得る。
【０１０３】
[0121]  ブロック１５１０において、関連付け応答がアクセスポイントから局によって受信され、関連付け応答は局に割り当てられたネットワークアドレスを示す。いくつかの態様では、割り当てられたネットワークアドレスは要求されたネットワークアドレスである。いくつかの他の態様では、割り当てられたネットワークアドレスは、要求されたネットワークアドレスとは異なるネットワークアドレスであり得る。いくつかの態様では、割り当てられたネットワークアドレスはＩＰアドレスである。プロセス１５００で送信されるおよび／または受信される信号は、図６のコールフローに示す信号と同様に、ＳＴＡ１０６またはＡＰ１０４で実装され得る。
【０１０４】
[0122]  図１６は、ワイヤレス通信システムを使用して通信を確立することに関連付けられた遅延を低減する方法のプロセスフロー図を示す。示されるプロセスは、上記の図２または以下の図１７に示すデバイスなどの本明細書で説明するデバイスによって、全体的にまたは部分的に実行され得る。いくつかの実装形態では、プロセスはＡＰ、たとえば、ＡＰ１０４で実装され得る。いくつかの態様では、対応するネットワークアクセス識別子への割り当てられたネットワークアドレスのマッピングを受信することによって、ＡＰ１０４はＳＴＡ１０６に要求されたネットワークアドレスが割り当てられ得るかどうかをより効率的に決定することができる。これは、ＳＴＡ１０６が、既存の方法と比べると、より少ない遅延を伴ってワイヤレスネットワークを介した通信を開始することを可能にし得る。
【０１０５】
[0123]  プロセス１６００は、対応するネットワークアクセス識別子への割り当てられたネットワークアドレスのマッピングがアドレス割当てサーバから受信されるブロック１６０５で始まる。各ネットワークアドレス識別子は、ワイヤレス通信システムへのアクセスを有するユーザを識別する。プロセス１６００のいくつかの他の態様では、マッピングは、対応する加入識別子、またはワイヤレスネットワーク上でＳＴＡ１０６の認証に使用される対応する識別子へのネットワークアドレスの１つまたは複数のマッピングを含む。いくつかの態様では、マッピングは、ネットワークアドレス割当てサーバではないが、マッピング情報にアクセスできるネットワークノードから受信される。たとえば、一態様では、メッセージはゲートウェイから受信され得る。別の態様では、メッセージはＳＴＡ１０６の近傍内のＡＰ１０４から受信され得る。
【０１０６】
[0124]  ブロック１６１０において、局に割り当てられるべき要求されたネットワークアドレスを示す関連付け要求が、局から受信される。ブロック１６１５において、ネットワークアドレスは、要求されたネットワークアドレスおよびマッピングに基づいて局に割り当てられる。たとえば、いくつかの態様では、要求されたネットワークアドレスが現在、局に割り当てられていることをマッピングが示す場合、要求されたネットワークアドレスは、アクセスポイントによって局に割り当てられる。要求されたネットワークアドレスが局に割り当てられているか、または要求されたネットワークアドレスが異なる局に割り当てられていることをマッピングが示さない場合、第２のネットワークアドレスが局に割り当てられ得、第２のネットワークアドレスは要求されたネットワークアドレスとは異なる。いくつかの態様では、要求されたおよび／または割り当てられたネットワークアドレスはＩＰアドレスである。ブロック１６２０において、割り当てられたネットワークアドレスを示す関連付け応答が、局に送信される。プロセス１６００で送信されるおよび／または受信される信号は、図６のコールフローに示す信号と同様に、ＳＴＡ１０６またはＡＰ１０４で実装され得る。
【０１０７】
[0125]  次に図１７を参照すると、本開示のワイヤレス通信装置１７００の機能ブロック図が示されている。ワイヤレス通信装置は、いくつかの実施形態では、ＳＴＡ１０６またはＡＰ１０４を表し得る。ワイヤレス通信装置が図１７に示す簡略化されたワイヤレス通信装置１７００よりも多くの構成要素を有し得ることを当業者は諒解されよう。示されるワイヤレス通信装置１７００は、本開示および特許請求の範囲内の実装形態のいくつかの顕著な特徴について説明するために有用な様々な構成要素を含む。ワイヤレス通信装置１７００は、考えられる特徴の中でも、送信回路１７０２と、受信回路１７０４と、割当て回路１７０６と、決定回路１７０８と、マッピング回路１７１０とを含み得る。ＡＰ１０４の一実施形態では、示されるすべての５つの構成要素（送信回路１７０２、受信回路１７０４、割当て回路１７０６、決定回路１７０８、およびマッピング回路１７１０）は、本明細書で開示するプロセスのうちの１つまたは複数で使用するために実装され得る。逆に、ＳＴＡ１０６は、割当て回路１７０６、決定回路１７０８、およびマッピング回路１７１０の使用を必要としない場合がある。したがって、割当て回路１７０６、決定回路１７０８、およびマッピング回路１７１０は、それらが主にＡＰ１０４として実装されるデバイス１７００とともに使用されることを示す破線で示されている。ただし、いくつかの実施形態では、割当て回路１７０６、決定回路１７０８、およびマッピング回路１７１０は、ＳＴＡ１０６で使用するのに必要とされ得ることを当業者は諒解されたい。
【０１０８】
[0126]  いくつかの実装形態では、ＳＴＡ１０６で実装される送信回路１７０２は、図７および図９に関して説明したように、関連付け要求をＡＰ１０４に送信するように構成され得る。送信回路は、以下で説明する決定回路１７０８によって決定されるネットワークアドレスを利用して、メッセージを送信するようにさらに構成され得る。
【０１０９】
[0127]  いくつかの実装形態では、ＡＰ１０４で実装される送信回路１７０２は、図８に関して述べたように、関連付け応答をＳＴＡ１０６に送信するように構成され得る。関連付け応答は、割り当てられたインターフェース識別子を示し得る。
【０１１０】
[0128]  いくつかの実装形態では、送信回路１７０２は、図１０に関して説明したように、ＤＮＳサーバのネットワークアドレスを示す関連付け応答をＳＴＡ１０６に送信するように構成され得る。送信回路１７０２は、図１１に関して説明したように、ＡＰ１０４から受信されたＳＴＡ１０６のＭＡＣアドレスに基づいてメッセージをＳＴＡ１０６に送信するようにさらに構成され得る。
【０１１１】
[0129]  いくつかの実装形態では、送信回路１７０２は、図１２に関して説明したように、関連する各局のネットワークアドレスを対応するＭＡＣアドレスにマッピングし、マッピングを別の異なるＳＴＡ１０６に送信するように構成され得る。
【０１１２】
[0130]  いくつかの実装形態では、送信回路１７０２は、図１４の説明で述べたように、局のネットワークアドレスについての要求をネットワークアドレス割当てサーバに送信するように構成され得る。
【０１１３】
[0131]  いくつかの実装形態では、局の送信回路１７０２は、図１５の説明で述べたように、関連付け要求を、ネットワークアドレスを要求するＡＰ１０４に送信するように構成され得る。
【０１１４】
[0132]  いくつかの実装形態では、ＡＰ１０４の送信回路１７０２は、割り当てられたネットワークアドレスを示す関連付け応答をＳＴＡ１０６に送信するように構成され得る。
【０１１５】
[0133]  送信回路１７０２は、送信機、アンテナ、データネットワークインターフェース、およびメモリのうちの１つまたは複数を含み得る。たとえば、送信回路１７０２は、図２の送信機２１０を含み得る。いくつかの実装形態では、送信するための手段は送信回路１７０２を含み得る。一実施形態では、送信回路１７０２は、上記の図のブロック（たとえば、ブロック７０５、７２０、８１５、９０５、１０１０、１１１０、１２１０、１３０５、１４１０、１５０５、１６２０）に関して上記で説明した「送信」機能のうちの１つまたは複数を実行するように構成され得る。
【０１１６】
[0134]  いくつかの実装形態では、受信回路１７０４は、図７で参照されるように、ＡＰ１０４から関連付け応答を受信するように構成され得る。関連付け応答は、図９に関して説明したように、ＤＮＳサーバのネットワークアドレスを示し得る。関連付け応答は、ＡＰ１０４によってＳＴＡ１０６に割り当てられたインターフェース識別子を示し得る。関連付け応答は、追加または代替として、図１３の説明で述べたように、割り当てられたネットワークアドレスを示し得る。
【０１１７】
[0135]  いくつかの実装形態では、ＡＰ１０４の受信回路１７０４は、図８および図１０に関して説明したように、ＳＴＡ１０６から関連付け要求を受信するように構成され得る。
【０１１８】
[0136]  いくつかの実装形態では、受信回路１７０４は、図１１に関して説明したように、ＡＰ１０４からＭＡＣアドレスへの局のネットワークアドレスのマッピングを受信するように構成され得る。
【０１１９】
[0137]  いくつかの実装形態では、受信回路１７０４は、図１４の説明で述べたように、ＳＴＡ１０６から認証要求を受信するように構成され得る。受信回路１７０４は、ＳＴＡ１０６のネットワークアドレスについての要求が送信された後、ＳＴＡ１０６から関連付け要求を受信するようにさらに構成され得る。関連付け応答は、ＡＰ１０４によって割り当てられたネットワークアドレスを示し得る。
【０１２０】
[0138]  いくつかの実装形態では、受信回路１５５４は、図１５の説明で述べたように、ＳＴＡ１０６に割り当てられたネットワークアドレスを示す関連付け応答をＡＰ１０４から受信するように構成され得る。
【０１２１】
[0139]  いくつかの実装形態では、受信回路１７０４は、図１６の説明で述べたように、ＳＴＡ１０６に割り当てられるべき要求されたネットワークアドレスを示す関連付け要求をＳＴＡ１０６から受信するように構成され得る。いくつかの実装形態では、受信回路１７０４は、対応するネットワークアクセス識別子への割り当てられたネットワークアドレスのマッピングをネットワークアドレス割当てサーバから受信するようにさらに構成され得る。
【０１２２】
[0140]  受信回路１７０４は、本明細書で開示する前の実施形態および図２に関して説明した実施形態に類似した、受信機、アンテナ、信号プロセッサ、およびメモリのうちの１つまたは複数を含み得る。たとえば、受信回路１７０４は、図２の受信機２１２を含み得る。いくつかの実装形態では、受信するための手段は受信回路１７０４を含み得る。一実施形態では、受信回路１７０４は、上記の図のブロック（たとえば、ブロック７１０、８０５、９１０、１００５、１１０５、１３１０、１４０５、１４１５、１５１０．１６０５および／または１６１０）に関して上記で説明した「受信」機能のうちの１つまたは複数を実行するように構成され得る。
【０１２３】
[0141]  いくつかの実装形態では、割当て回路１７０６は、インターフェース識別子をＳＴＡ１０６に割り当てるように構成され得る。割当て回路１７０６は、受信機、アンテナ、信号プロセッサ、およびメモリのうちの１つまたは複数を含み得る。たとえば、割当て回路１７０６は、図２の受信機２１２を含み得る。いくつかの実装形態では、受信するための手段は割当て回路１７０６を含み得る。一態様では、割当て回路１７０６は、上記の図（たとえば、ブロック８１０、１６１５）に関して上記で説明した「割当て」機能のうちの１つまたは複数を実行するように構成され得る。
【０１２４】
[0142]  いくつかの実装形態では、決定回路１７０８は、図７で参照されるように、インターフェース識別子に基づいてネットワークアドレスを決定するように構成され得る。決定回路１７０８は、プログラマブルチップ、プロセッサ、メモリ、およびネットワークインターフェースのうちの１つまたは複数を含み得る。たとえば、決定回路１７０８は、１つまたは複数のプロセッサユニット２０４を含み得る。いくつかの実装形態では、ネットワークアドレスを決定するための手段は決定回路１７０８を含み得る。
【０１２５】
[0143]  いくつかの実装形態では、マッピング回路１７１０は、図１２に関して説明したように、ＭＡＣアドレスへの局のネットワークアドレスのマッピングを決定するように構成され得る。マッピング回路１７１０は、受信機、アンテナ、信号プロセッサ、およびメモリのうちの１つまたは複数を含み得る。たとえば、マッピング回路１７１０は、図２の受信機２１２を含み得る。いくつかの実装形態では、マッピングを決定するための手段はマッピング回路１７１０を含み得る。一態様では、マッピング回路１７１０は、上記の図のブロック（たとえば、ブロック１２０５）に関して上記で説明した「マッピング」機能のうちの１つまたは複数を実行するように構成され得る。
【０１２６】
[0144]  本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用する「チャネル幅」は、いくつかの態様では帯域幅を包含する場合があるか、または帯域幅と呼ばれる場合もある。
【０１２７】
[0145]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１２８】
[0146]  上記で説明した方法の様々な動作は、様々なハードウェア構成要素および／もしくはソフトウェア構成要素、回路、ならびに／またはモジュールなどの、それらの動作を実行することが可能な任意の適切な手段によって実行され得る。一般に、図に示す任意の動作は、その動作を実行することが可能な対応する機能的手段によって実行され得る。
【０１２９】
[0147]  本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラまたは状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３０】
[0148]  １つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶され得るか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または、命令もしくはデータ構造の形態の所望のプログラムコードを搬送もしくは記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば、有形媒体）を備え得る。加えて、いくつかの態様では、コンピュータ可読媒体は、一時的コンピュータ可読媒体（たとえば、信号）を備え得る。上記の組合せもコンピュータ可読媒体の範囲内に含まれるべきである。
【０１３１】
[0149]  本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの具体的な順序が指定されない限り、具体的なステップおよび／またはアクションの順序および／または使用は、特許請求の範囲から逸脱することなく修正され得る。
【０１３２】
[0150]  説明した機能は、ハードウェア、ソフトウェア、ファームウェア、またはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態の所望のプログラムコードを搬送もしくは記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙディスク（disc）を含み、ディスク（disk）は、通常、データを磁気的に再生し、ディスク（disc）は、データをレーザーで光学的に再生する。
【０１３３】
[0151]  したがって、いくつかの態様は、本明細書で提示する動作を実行するためのコンピュータプログラム製品を備え得る。たとえば、そのようなコンピュータプログラム製品は、本明細書で説明する動作を実行するために、１つまたは複数のプロセッサによって実行可能である命令を記憶した（および／または符号化した）コンピュータ可読媒体を備え得る。いくつかの態様では、コンピュータプログラム製品はパッケージング材料を含み得る。
【０１３４】
[0152]  ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１３５】
[0153]  さらに、本明細書で説明する方法および技法を実行するためのモジュールおよび／または他の適切な手段は、適用可能な場合、ユーザ端末および／もしくは基地局によってダウンロードされ得るならびに／または他の方法で取得され得ることを諒解されたい。たとえば、本明細書で説明する方法を実行するための手段の転送を容易にするために、そのようなデバイスはサーバに結合され得る。代替的に、本明細書で説明する様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書で説明する方法および技法をデバイスに提供するための任意の他の適切な技法が利用され得る。
【０１３６】
[0154]  特許請求の範囲は、上記に示した厳密な構成および構成要素に限定されないことを理解されたい。上記で説明した方法および装置の構成、動作および詳細において、特許請求の範囲から逸脱することなく、様々な修正、変更および変形が行われ得る。
【０１３７】
[0155]  上記は本開示の態様を対象とするが、本開示の他の態様およびさらなる態様は、その基本的範囲から逸脱することなく考案され得、その範囲は以下の特許請求の範囲によって決定される。
【０１３８】
[0156]  以下は、本開示の様々な実施形態である。
【０１３９】
[0157]  １つの発明的態様では、ワイヤレス通信を確立する際の遅延を低減するためのシステムおよび方法が開示される。この態様は、局によって、関連付け要求をアクセスポイントに送信することと、アクセスポイントから関連付け応答を受信することと、関連付け応答は、アクセスポイントによって局に割り当てられたインターフェース識別子を示す、インターフェース識別子に基づいてネットワークアドレスを決定することと、ワイヤレスネットワーク上でメッセージを送信することと、メッセージは、決定されたネットワークアドレスを利用する、を含む。いくつかの実施形態では、関連付け要求は、局によって要求されたインターフェース識別子の数を示す。この態様は、本方法を実装するように構成されたコンピュータ可読媒体も含む。
【０１４０】
[0158]  開示される別の態様は、ワイヤレス通信を確立する際の遅延を低減するシステムおよび方法である。本方法は、アクセスポイントによって、局から関連付け要求を受信することと、インターフェース識別子を局に割り当てることと、割り当てられたインターフェース識別子を示す関連付け応答を送信することとを含む。いくつかの態様では、関連付け要求は、局によって要求されたインターフェース識別子の数を示す。
【０１４１】
[0159]  開示される別の態様は、ワイヤレス通信を確立する際の遅延を低減するシステムおよび方法である。本方法は、局によって、関連付け要求をアクセスポイントに送信することと、局によって、アクセスポイントから関連付け応答を受信することと、関連付け応答は、ＤＮＳサーバのネットワークアドレスを示す、を含む。いくつかの態様では、関連付け応答は、ＤＮＳサーバのＭＡＣアドレスをさらに示す。
【０１４２】
[0160]  開示される別の態様は、ワイヤレス通信を確立する際の遅延を低減するシステムおよび方法である。本方法は、アクセスポイントによって、局から関連付け要求を受信することと、アクセスポイントによって、関連付け応答を局に送信することと、関連付け応答は、ＤＮＳサーバのネットワークアドレスを示す、を含む。いくつかの態様では、関連付け応答は、ＤＮＳサーバのＭＡＣアドレスをさらに示す。
【０１４３】
[0161]  開示される別の態様は、ワイヤレス通信における遅延を低減するシステムおよび方法である。本方法は、局によって、アクセスポイントから第２の局のＭＡＣアドレスへの第２の局のネットワークアドレスのマッピングを受信することと、ＭＡＣアドレスに基づいてメッセージを第２の局に送信することとを含む。いくつかの態様では、マッピングはアドレス解決プロトコルメッセージに含まれる。いくつかの態様では、ネットワークアドレスはＩＰｖ４アドレスである。いくつかの態様では、マッピングはＮＤＰメッセージに含まれる。いくつかの態様では、ネットワークデバイスはＩＰｖ６アドレスである。
【０１４４】
[0162]  開示される別の態様は、ワイヤレス通信における遅延を低減するシステムおよび方法である。本方法は、アクセスポイントによって、局のＭＡＣアドレスへの局のネットワークアドレスのマッピングを決定することと、アクセスポイントによって、マッピングを少なくとも第２の局に送信することとを含む。いくつかの態様では、本方法は、ネットワークアドレスを局に割り当てること、ここにおいて、決定することは、割り当てることに応答する、をさらに含む。いくつかの態様では、マッピングはアドレス解決プロトコルメッセージで送信される。いくつかの態様では、ネットワークアドレスはＩＰｖ４アドレスである。いくつかの態様では、マッピングはＮＤＰメッセージで送信される。いくつかの態様では、ネットワークデバイスはＩＰｖ６アドレスである。
【０１４５】
[0163]  開示される別の態様は、ワイヤレス通信における遅延を低減する方法である。本方法は、局によって、関連付け要求をアクセスポイントに送信することと、局によって、アクセスポイントから関連付け応答を受信することと、関連付け応答は、割り当てられたネットワークアドレスを示す、を含む。いくつかの態様では、関連付け要求は、局によって要求されたネットワークアドレスのタイプを示す。
【０１４６】
[0164]  開示される別の態様は、ワイヤレス通信における遅延を低減する方法である。本方法は、アクセスポイントによって、局から認証要求フレームを受信することと、認証要求フレームに応答して、局のネットワークアドレスについての要求をネットワークアドレス割当てサーバに送信することと、ネットワークアドレスについての要求が送信された後、局から関連付け要求を受信することとを含む。いくつかの態様では、本方法は、ネットワークアドレスについての要求への応答を受信することと、応答は、局に割り当てられたネットワークアドレスを示す、関連付け応答を局に送信することと、関連付け応答は、割り当てられたネットワークアドレスを示す、も含む。
【０１４７】
[0165]  開示される別の態様は、ワイヤレス通信における遅延を低減するシステムおよび方法である。本方法は、局によって、関連付け要求をアクセスポイントに送信することと、関連付け要求は、要求されたネットワークアドレスを示す、局によって、アクセスポイントから関連付け応答を受信することと、関連付け応答は、局に割り当てられたネットワークアドレスを示す、を含む。いくつかの態様では、本方法は、関連付け要求の送信の前に、要求されたネットワークアドレスを使用してメッセージを送信することも含む。
【０１４８】
[0166]  開示される別の態様は、ワイヤレス通信ネットワーク上の遅延を低減するシステムおよび方法である。本方法は、ネットワークアドレス割当てサーバから、対応するネットワークアクセス識別子への割り当てられたネットワークアドレスのマッピングを受信することと、ここにおいて、各ネットワークアクセス識別子は、ワイヤレス通信ネットワークへのアクセスを有するユーザを識別する、局から、局に割り当てられるべき要求されたネットワークアドレスを示す関連付け要求を受信することと、要求されたネットワークアドレスおよびマッピングに基づいてネットワークアドレスを局に割り当てることと、割り当てられたネットワークアドレスを示す関連付け応答を局に送信することとを含む。いくつかの態様では、本方法は、要求されたネットワークアドレスがマッピングによって局のネットワークアクセス識別子にマッピングされていない場合、ＩＰアドレスがネットワークアドレス割当てサーバによって局に割り当てられることを要求することも含む。いくつかの態様では、マッピングが要求されたネットワークアドレスを局のネットワークアクセス識別子にマッピングする場合、割り当てられたネットワークアドレスは要求されたネットワークアドレスである。いくつかの態様では、局のネットワークアクセス識別子は、局から受信された認証要求フレームによって示される。
【図１】
2016511596.tif 000003
【図２】
2016511596.tif 000004
【図３】
2016511596.tif 000005
【図４Ａ】
2016511596.tif 000006
【図４Ｂ】
2016511596.tif 000007
【図５Ａ】
2016511596.tif 000008
【図５Ｂ】
2016511596.tif 000009
【図６】
2016511596.tif 000010
【図７】
2016511596.tif 000011
【図８】
2016511596.tif 000012
【図９】
2016511596.tif 000013
【図１０】
2016511596.tif 000014
【図１１】
2016511596.tif 000015
【図１２】
2016511596.tif 000016
【図１３】
2016511596.tif 000017
【図１４】
2016511596.tif 000018
【図１５】
2016511596.tif 000019
【図１６】
2016511596.tif 000020
【図１７】
2016511596.tif 000021
【国際調査報告】
2016511596.tif 000022
2016511596.tif 000023
2016511596.tif 000024